(57)【要約】【課題】第三者の目から見た際の、頭部装着型表示装置の操作のための動作の不自然さを軽減する。【解決手段】利用者が虚像を視認可能な頭部装着型表示装置は、利用者に虚像を視認させる画像表示部と、画像表示部において、虚像として利用者に表示されている情報である表示情報を加工する加工部と、加工された表示情報を、頭部装着型表示装置に接続された画像表示装置に送信する送信部と、を備える。【選択図】図５
2017106945.tif 000002
【特許請求の範囲】
【請求項１】
利用者が虚像を視認可能な頭部装着型表示装置であって、
前記利用者に前記虚像を視認させる画像表示部と、
前記画像表示部において、前記虚像として前記利用者に表示されている情報である表示情報を加工する加工部と、
加工された前記表示情報を、前記頭部装着型表示装置に接続された画像表示装置に送信する送信部と、
を備える、頭部装着型表示装置。
【請求項２】
請求項１に記載の頭部装着型表示装置であって、
前記加工部は、前記表示情報の種類と、前記画像表示装置の前記利用者の権限と、のうちの少なくともいずれか一方に応じて、前記加工の方法を変更する、頭部装着型表示装置。
【請求項３】
請求項１または請求項２に記載の頭部装着型表示装置であって、
前記送信部は、前記加工された表示情報をブロードキャスト送信する、頭部装着型表示装置。
【請求項４】
請求項１から請求項３のいずれか一項に記載の頭部装着型表示装置に接続される画像表示装置であって、
前記画像表示装置は、利用者が虚像を視認可能な他の頭部装着型表示装置であり、
前記他の頭部装着型表示装置は、
前記利用者に前記虚像を視認させる受信側画像表示部と、
前記頭部装着型表示装置から、前記加工された表示情報を取得する受信側取得部と、
前記頭部装着型表示装置の前記利用者の近傍に、前記加工された表示情報を視認させるための前記虚像を前記受信側画像表示部に形成させる受信側拡張現実感処理部と、
を備える、画像表示装置。
【請求項５】
請求項１から請求項３のいずれか一項に記載の頭部装着型表示装置に接続される画像表示装置であって、
前記画像表示装置は、前記頭部装着型表示装置から前記加工された表示情報を取得し、前記加工された表示情報を含んだ像を投射するプロジェクターである、画像表示装置。
【請求項６】
情報処理装置であって、
前記情報処理装置に接続された頭部装着型表示装置において、虚像として前記頭部装着型表示装置の利用者に表示されている情報である表示情報を取得する取得部と、
取得された前記表示情報を加工する加工部と、
加工された前記表示情報を、前記情報処理装置に接続された画像表示装置に送信する送信部と、
を備える、情報処理装置。
【請求項７】
請求項６に記載の情報処理装置であって、
前記加工部は、前記表示情報の種類と、前記画像表示装置の利用者の権限と、のうちの少なくともいずれか一方に応じて、前記加工の方法を変更する、情報処理装置。
【請求項８】
請求項６または請求項７に記載の情報処理装置であって、さらに、
複数の前記頭部装着型表示装置からそれぞれ取得された前記表示情報を記憶する記憶部を備え、
前記取得部は、
前記表示情報と共に、前記頭部装着型表示装置の現在位置を表す第１の現在位置情報を取得し、
取得した前記表示情報と、前記第１の現在位置情報と、を前記記憶部に関連付けて記憶させる、情報処理装置。
【請求項９】
請求項８に記載の情報処理装置であって、
前記送信部は、さらに、
前記画像表示装置から、前記画像表示装置の現在位置を表す第２の現在位置情報を取得し、
取得した前記第２の現在位置情報と、前記記憶部内の前記第１の現在位置情報とを用いて、前記記憶部から、前記画像表示装置の所定範囲内に存在する前記頭部装着型表示装置における前記表示情報を取得し、
取得した前記表示情報を前記加工部に加工させ、
前記加工された表示情報を前記画像表示装置へ送信する、情報処理装置。
【請求項１０】
請求項６から請求項９のいずれか一項に記載の情報処理装置に接続される画像表示装置であって、
前記画像表示装置は、利用者が虚像を視認可能な他の頭部装着型表示装置であり、
前記他の頭部装着型表示装置は、
前記利用者に前記虚像を視認させる受信側画像表示部と、
前記情報処理装置から、前記加工された表示情報を取得する受信側取得部と、
前記頭部装着型表示装置の前記利用者の近傍に、前記加工された表示情報を視認させるための前記虚像を前記受信側画像表示部に形成させる受信側拡張現実感処理部と、
を備える、画像表示装置。
【請求項１１】
請求項６または請求項７に記載の情報処理装置であって、
前記取得部は、前記表示情報と共に、前記頭部装着型表示装置の前記利用者を含む場面の画像を取得し、
前記加工部は、さらに、取得された前記場面の画像と、加工した前記表示情報と、を合成し、
前記送信部は、合成後の前記表示情報を、前記加工された表示情報として前記画像表示装置へ送信する、情報処理装置。
【請求項１２】
請求項１１に記載の情報処理装置に接続される画像表示装置であって、
前記画像表示装置は、前記情報処理装置から前記加工された表示情報を取得し、前記加工された表示情報を含んだ像を投射するプロジェクターである、画像表示装置。
【請求項１３】
情報処理装置であって、
前記情報処理装置に接続された画像表示装置に配信するための配信情報を記憶する記憶部と、
前記画像表示装置についての情報と、前記画像表示装置の利用者についての情報と、のうちの少なくともいずれか一方の情報に応じた前記配信情報を、前記画像表示装置に送信する制御部と、
を備える、情報処理装置。
【請求項１４】
請求項１３に記載の情報処理装置であって、
前記制御部は、
前記少なくともいずれか一方の情報に応じて前記記憶部内の前記配信情報を加工し、
加工後の前記配信情報を、前記配信情報として前記画像表示装置に送信する、情報処理装置。
【請求項１５】
請求項１３または請求項１４に記載の情報処理装置であって、
前記制御部は、
さらに、特定の通信キャリアから、前記少なくともいずれか一方の情報を取得するための情報取得要求をブロードキャスト送信し、
前記情報取得要求に対して応答した前記画像表示装置に対して、前記配信情報を送信する、情報処理装置。
【請求項１６】
請求項１５に記載の情報処理装置であって、
前記制御部は、前記情報取得要求に対して応答した前記画像表示装置との間において、前記情報取得要求の送信と、前記情報取得要求に対する応答の受信と、を繰り返すことによって、前記少なくともいずれか一方の情報を取得する、情報処理装置。
【請求項１７】
請求項１６に記載の情報処理装置であって、
前記情報取得要求には、前記画像表示装置側において応答を拒否することができるか否かを識別するための情報が含まれている、情報処理装置。
【請求項１８】
請求項１３から請求項１７のいずれか一項に記載の情報処理装置に接続される画像表示装置であって、
前記画像表示装置は、前記利用者が虚像を視認可能な頭部装着型表示装置であり、
前記頭部装着型表示装置は、
前記利用者に前記虚像を視認させる受信側画像表示部と、
前記情報処理装置から、前記配信情報を取得する受信側取得部と、
取得した前記配信情報を表す前記虚像を前記受信側画像表示部に形成させる受信側拡張現実感処理部と、
を備える、画像表示装置。
【請求項１９】
画像表示システムであって、
頭部装着型表示装置と、
情報処理装置と、
他の頭部装着型表示装置と、を備え、
前記情報処理装置は、
前記情報処理装置に接続された前記頭部装着型表示装置において、虚像として前記頭部装着型表示装置の利用者に表示されている情報である表示情報を取得する取得部と、
取得された前記表示情報を加工する加工部と、
加工された前記表示情報を、前記情報処理装置に接続された画像表示装置に送信する送信部と、を備え、
前記他の頭部装着型表示装置は、
利用者に虚像を視認させる受信側画像表示部と、
前記情報処理装置から、前記加工された表示情報を取得する受信側取得部と、
前記頭部装着型表示装置の利用者の近傍に、前記加工された表示情報を視認させるための前記虚像を前記受信側画像表示部に形成させる受信側拡張現実感処理部と、
を備える、画像表示システム。
【請求項２０】
画像表示システムであって、
頭部装着型表示装置と、
情報処理装置と、
プロジェクターと、を備え、
前記情報処理装置は、
前記情報処理装置に接続された前記頭部装着型表示装置において、虚像として前記頭部装着型表示装置の利用者に表示されている情報である表示情報を取得する取得部と、
取得された前記表示情報を加工する加工部と、
加工された前記表示情報を、前記情報処理装置に接続された画像表示装置に送信する送信部と、を備え、
前記プロジェクターは、
前記情報処理装置から前記加工された表示情報を取得し、前記加工された表示情報を含んだ像を投射する、画像表示システム。
【請求項２１】
画像表示システムであって、
情報処理装置と、
頭部装着型表示装置と、を備え、
前記情報処理装置は、
前記情報処理装置に接続された前記頭部装着型表示装置に配信するための配信情報を記憶する記憶部と、
前記頭部装着型表示装置についての情報と、前記頭部装着型表示装置の利用者についての情報と、のうちの少なくともいずれか一方の情報に応じた前記配信情報を、前記頭部装着型表示装置に送信する制御部と、を備え、
前記頭部装着型表示装置は、
前記利用者に虚像を視認させる受信側画像表示部と、
前記情報処理装置から、前記配信情報を取得する受信側取得部と、
取得した前記配信情報を表す前記虚像を前記受信側画像表示部に形成させる受信側拡張現実感処理部と、
を備える、画像表示システム。
【請求項２２】
頭部装着型表示装置の表示を共有する方法であって、
（ａ）前記頭部装着型表示装置において、虚像として前記頭部装着型表示装置の利用者に表示されている情報である表示情報を加工する工程と、
（ｂ）加工された前記表示情報を画像表示装置に送信する工程と、
を備える、方法。
【請求項２３】
コンピュータープログラムであって、
頭部装着型表示装置において、虚像として前記頭部装着型表示装置の利用者に表示されている情報である表示情報を加工する加工機能と、
加工された前記表示情報を画像表示装置に送信する共有機能と、
をコンピューターに実現させるための、コンピュータープログラム。
【発明の詳細な説明】
【技術分野】
【０００１】
本発明は、頭部装着型表示装置の表示を共有する技術に関する。
【背景技術】
【０００２】
利用者の頭部に装着されて使用され、利用者の視野領域に虚像を形成する頭部装着型表示装置が知られている（例えば、特許文献１参照）。この頭部装着型表示装置は、ヘッドマウントディスプレイ（ＨＭＤ、Head Mounted Display）とも呼ばれる。このようなＨＭＤにおいては、利用者の頭部に装着されて使用されるという性質上、音声を用いた入力手段や、ジェスチャーを用いた入力手段等、従来とは異なる様々な態様の入力手段が提案されている。
【先行技術文献】
【特許文献】
【０００３】
【特許文献１】特許第５０７４８２７号公報
【特許文献２】特表２０１１−５１３８２１号公報
【発明の概要】
【発明が解決しようとする課題】
【０００４】
上述した様々な態様の入力手段の存在は、ＨＭＤの利便性を向上させる。一方で、ＨＭＤの虚像はＨＭＤの利用者しか見ることができないため、第三者から見た場合に、ＨＭＤを操作している利用者が何をしているのかがわからない場合がある。このように、従来のＨＭＤでは、ＨＭＤの操作のための動作（例えば、ジェスチャーや発声等）が、第三者の目に不自然に映る場合があるという課題があった。特許文献１、２に記載された技術では、このような課題については何ら考慮されていない。
【０００５】
このため、第三者の目から見た際の、頭部装着型表示装置の操作のための動作の不自然さを軽減することが望まれていた。
【課題を解決するための手段】
【０００６】
本発明は、上述の課題の少なくとも一部を解決するためになされたものであり、以下の形態として実現することが可能である。
【０００７】
（１）本発明の一形態によれば、利用者が虚像を視認可能な頭部装着型表示装置が提供される。この頭部装着型表示装置は；前記利用者に前記虚像を視認させる画像表示部と；前記画像表示部において、前記虚像として前記利用者に表示されている情報である表示情報を加工する加工部と；加工された前記表示情報を、前記頭部装着型表示装置に接続された画像表示装置に送信する送信部と、を備える。
この形態の頭部装着型表示装置によれば、送信部は、虚像として利用者に表示されている情報である表示情報を、頭部装着型表示装置に接続された画像表示装置に送信する。表示情報を受信した画像表示装置において、表示された表示情報を見た第三者は、頭部装着型表示装置の利用者が何を見ているかを察することができる。この結果、頭部装着型表示装置の利用者が、頭部装着型表示装置を操作するための動作（例えば、ジェスチャーや発声等）を行ったとしても、第三者の目に不自然に映りづらい。すなわち、第三者の目から見た際の、頭部装着型表示装置の操作のための動作の不自然さを軽減することができる。さらに、送信部が画像表示装置に送信し、表示させる表示情報は、加工された表示情報である。このため、例えば表示情報における情報の詳細さ、明確さ等を低減させるような加工を施すことによって、送信部は、そのままの表示情報を画像表示装置に送信し、表示させる場合と比較して、表示情報を第三者に開示することに伴うセキュリティーを向上させることができる。
【０００８】
（２）上記形態の頭部装着型表示装置において；前記加工部は、前記表示情報の種類と、前記画像表示装置の前記利用者の権限と、のうちの少なくともいずれか一方に応じて、前記加工の方法を変更してもよい。
この形態の頭部装着型表示装置によれば、加工部は、表示情報の種類と、画像表示装置の利用者（すなわち第三者）の権限と、のうちの少なくともいずれか一方に応じて、表示情報の加工の種類を変更することができる。表示情報の種類に応じて加工の方法を変更すれば、加工部は、情報の種類ごとに最適な加工方法を採用することもでき、情報の種類ごとに第三者への開示の程度を変更することもできる。画像表示装置の利用者の権限に応じて加工の方法を変更すれば、加工部は、当該権限のレベルに応じて画像表示装置の利用者（すなわち第三者）への開示の程度を変更することができる。
【０００９】
（３）上記形態の頭部装着型表示装置において；前記送信部は、前記加工された表示情報をブロードキャスト送信してもよい。
この形態の頭部装着型表示装置によれば、送信部は、加工された表示情報を、簡単に、近隣の画像表示装置へ送信し、表示させることができる。
【００１０】
（４）本発明の一形態によれば、上記形態の頭部装着型表示装置に接続される画像表示装置が提供される。この画像表示装置は、利用者が虚像を視認可能な他の頭部装着型表示装置であり；前記他の頭部装着型表示装置は；前記利用者に前記虚像を視認させる受信側画像表示部と；前記頭部装着型表示装置から、前記加工された表示情報を取得する受信側取得部と；前記頭部装着型表示装置の前記利用者の近傍に、前記加工された表示情報を視認させるための前記虚像を前記受信側画像表示部に形成させる受信側拡張現実感処理部と、を備える。
この形態の画像表示装置によれば、表示情報を第三者に開示するための画像表示装置を、頭部装着型表示装置として構成することができる。また、受信側拡張現実感処理部は、第三者の視界内において、頭部装着型表示装置の利用者の近傍に表示情報を視認させる。このため第三者は、より直感的に、頭部装着型表示装置の利用者と、当該利用者が見ている情報と、を結びつけて理解することができる。
【００１１】
（５）本発明の一形態によれば、上記形態の頭部装着型表示装置に接続される画像表示装置が提供される。この画像表示装置は、前記頭部装着型表示装置から前記加工された表示情報を取得し、前記加工された表示情報を含んだ像を投射するプロジェクターである。
この形態の画像表示装置によれば、表示情報を第三者に開示するための画像表示装置を、プロジェクターとして構成することができる。このため、表示情報を複数の第三者に対してまとめて開示することができる。
【００１２】
（６）本発明の一形態によれば、情報処理装置が提供される。この情報処理装置は；前記情報処理装置に接続された頭部装着型表示装置において、虚像として前記頭部装着型表示装置の利用者に表示されている情報である表示情報を取得する取得部と；取得された前記表示情報を加工する加工部と；加工された前記表示情報を、前記情報処理装置に接続された画像表示装置に送信する送信部と、を備える。
この形態の情報処理装置によれば、送信部は、虚像として頭部装着型表示装置の利用者に表示されている情報である表示情報を、情報処理装置に接続された画像表示装置に送信する。表示情報を受信した画像表示装置において、表示された表示情報を見た第三者は、頭部装着型表示装置の利用者が何を見ているかを察することができる。この結果、頭部装着型表示装置の利用者が、頭部装着型表示装置を操作するための動作（例えば、ジェスチャーや発声等）を行ったとしても、第三者の目に不自然に映りづらい。すなわち、第三者の目から見た際の、頭部装着型表示装置の操作のための動作の不自然さを軽減することができる。さらに、送信部が画像表示装置に送信し、表示させる表示情報は、加工された表示情報である。このため、例えば表示情報における情報の詳細さ、明確さ等を低減させるような加工を施すことによって、送信部は、そのままの表示情報を画像表示装置に送信し、表示させる場合と比較して、表示情報を第三者に開示することに伴うセキュリティーを向上させることができる。
【００１３】
（７）上記形態の情報処理装置において；前記加工部は、前記表示情報の種類と、前記画像表示装置の利用者の権限と、のうちの少なくともいずれか一方に応じて、前記加工の方法を変更してもよい。
この形態の情報処理装置によれば、加工部は、表示情報の種類と、画像表示装置の利用者（すなわち第三者）の権限と、のうちの少なくともいずれか一方に応じて、表示情報の加工の種類を変更することができる。表示情報の種類に応じて加工の方法を変更すれば、加工部は、情報の種類ごとに最適な加工方法を採用することもでき、情報の種類ごとに第三者への開示の程度を変更することもできる。画像表示装置の利用者の権限に応じて加工の方法を変更すれば、加工部は、当該権限のレベルに応じて画像表示装置の利用者（すなわち第三者）への開示の程度を変更することができる。
【００１４】
（８）上記形態の情報処理装置では、さらに；複数の前記頭部装着型表示装置からそれぞれ取得された前記表示情報を記憶する記憶部を備え；前記取得部は；前記表示情報と共に、前記頭部装着型表示装置の現在位置を表す第１の現在位置情報を取得し；取得した前記表示情報と、前記第１の現在位置情報と、を前記記憶部に関連付けて記憶させてもよい。
この形態の情報処理装置によれば、複数の頭部装着型表示装置から取得した表示情報を記憶部に蓄積しておくことができる。
【００１５】
（９）上記形態の情報処理装置において；前記送信部は、さらに；前記画像表示装置から、前記画像表示装置の現在位置を表す第２の現在位置情報を取得し；取得した前記第２の現在位置情報と、前記記憶部内の前記第１の現在位置情報とを用いて、前記記憶部から、前記画像表示装置の所定範囲内に存在する前記頭部装着型表示装置における前記表示情報を取得し；取得した前記表示情報を前記加工部に加工させ；前記加工された表示情報を前記画像表示装置へ送信してもよい。
この形態の情報処理装置によれば、送信部は、第１、第２の現在位置情報を用いて、自動的に、画像表示装置の所定範囲内に存在する頭部装着型表示装置における表示情報、換言すれば、画像表示装置の近傍に存在する頭部装着型表示装置における表示情報を、画像表示装置に送信し、表示させることができる。
【００１６】
（１０）本発明の一形態によれば、上記形態の情報処理装置に接続される画像表示装置が提供される。この画像表示装置は、利用者が虚像を視認可能な他の頭部装着型表示装置であり；前記他の頭部装着型表示装置は；前記利用者に前記虚像を視認させる受信側画像表示部と；前記情報処理装置から、前記加工された表示情報を取得する受信側取得部と；前記頭部装着型表示装置の前記利用者の近傍に、前記加工された表示情報を視認させるための前記虚像を前記受信側画像表示部に形成させる受信側拡張現実感処理部と、を備える。
この形態の画像表示装置によれば、表示情報を第三者に開示するための画像表示装置を、頭部装着型表示装置として構成することができる。また、受信側拡張現実感処理部は、第三者の視界内において、頭部装着型表示装置の利用者の近傍に表示情報を視認させる。このため第三者は、より直感的に、頭部装着型表示装置の利用者と、当該利用者が見ている情報と、を結びつけて理解することができる。
【００１７】
（１１）上記形態の情報処理装置において；前記取得部は、前記表示情報と共に、前記頭部装着型表示装置の前記利用者を含む場面の画像を取得し；前記加工部は、さらに、取得された前記場面の画像と、加工した前記表示情報と、を合成し；前記送信部は、合成後の前記表示情報を、前記加工された表示情報として前記画像表示装置へ送信してもよい。
この形態の情報処理装置によれば、送信部は、頭部装着型表示装置の利用者を含む場面の画像と合成された表示情報を、画像表示装置に送信し、表示させる。このため、表示情報を第三者に開示するための画像表示装置が、例えばプロジェクターやスマートフォン等である場合において、第三者は、より直感的に、頭部装着型表示装置の利用者と、当該利用者が見ている情報と、を結びつけて理解することができる。
【００１８】
（１２）本発明の一形態によれば、上記形態の情報処理装置に接続される画像表示装置が提供される。この画像表示装置は、前記情報処理装置から前記加工された表示情報を取得し、前記加工された表示情報を含んだ像を投射するプロジェクターである。
この形態の画像表示装置によれば、表示情報を第三者に開示するための画像表示装置を、プロジェクターとして構成することができる。このため、表示情報を複数の第三者に対してまとめて開示することができる。
【００１９】
（１３）本発明の一形態によれば、情報処理装置が提供される。この情報処理装置は；前記情報処理装置に接続された画像表示装置に配信するための配信情報を記憶する記憶部と；前記画像表示装置についての情報と、前記画像表示装置の利用者についての情報と、のうちの少なくともいずれか一方の情報に応じた前記配信情報を、前記画像表示装置に送信する制御部と、を備える。
この形態の情報処理装置によれば、制御部は、記憶部に予め用意された配信情報を用いて、画像表示装置についての情報と、画像表示装置の利用者についての情報と、のうちの少なくともいずれか一方に応じた配信情報を画像表示装置へ送信する。配信情報を受信した画像表示装置において配信情報が表示されることにより、画像表示装置の利用者は、画像表示装置そのものについての情報、または、自身についての情報に応じた個別の配信情報を視認することができる。この結果、本形態の情報処理装置によれば、画像表示装置の利用者、または、情報処理装置を利用して第三者に情報提供を行う情報提供者における利便性を向上させることができる。
【００２０】
（１４）上記形態の情報処理装置において；前記制御部は；前記少なくともいずれか一方の情報に応じて前記記憶部内の前記配信情報を加工し；加工後の前記配信情報を、前記配信情報として前記画像表示装置に送信してもよい。
この形態の情報処理装置によれば、制御部は、画像表示装置についての情報と、画像表示装置の利用者についての情報と、のうちの少なくともいずれか一方の情報に応じて配信情報を加工し、加工後の配信情報を「少なくともいずれか一方の情報に応じた配信情報」として画像表示装置に送信する。このため、例えば、記憶部に予め用意された１つの配信情報から少なくともいずれか一方の情報に応じた複数の配信情報を作成することができるため、記憶部における配信情報の記憶容量を低減することができる。
【００２１】
（１５）上記形態の情報処理装置において；前記制御部は；さらに、特定の通信キャリアから、前記少なくともいずれか一方の情報を取得するための情報取得要求をブロードキャスト送信し；前記情報取得要求に対して応答した前記画像表示装置に対して、前記配信情報を送信してもよい。
この形態の情報処理装置によれば、制御部は、特定の通信キャリアから情報取得要求をブロードキャスト送信するため、特定の場所（すなわち、特定の通信キャリアからの通信可能範囲内）に位置する画像表示装置との間に限って、配信情報の送信を実施することができる。
【００２２】
（１６）上記形態の情報処理装置において；前記制御部は、前記情報取得要求に対して応答した前記画像表示装置との間において、前記情報取得要求の送信と、前記情報取得要求に対する応答の受信と、を繰り返すことによって、前記少なくともいずれか一方の情報を取得してもよい。
この形態の情報処理装置によれば、制御部は、画像表示装置についての情報と、画像表示装置の利用者についての情報とを、逐次的に取得することができる。このため、制御部は、これらの情報を一度に取得する場合と比較して、通信内容が漏洩した場合における情報漏洩のリスクを低減することができる。また、本形態の情報処理装置によれば、情報処理装置と画像表示装置との間においてやり取りされる一回あたりの情報の量を低減することができるため、情報処理装置および画像表示装置にかかる処理負荷を低減することができる。
【００２３】
（１７）上記形態の情報処理装置において；前記情報取得要求には、前記画像表示装置側において応答を拒否することができるか否かを識別するための情報が含まれていてもよい。
この形態の情報処理装置によれば、制御部は、画像表示装置側において応答を拒否することができる情報取得要求と、そうでない情報取得要求とを区別して使い分けることができる。
【００２４】
（１８）本発明の一形態によれば、上記形態の情報処理装置に接続される画像表示装置が提供される。この画像表示装置は、前記利用者が虚像を視認可能な頭部装着型表示装置であり；前記頭部装着型表示装置は；前記利用者に前記虚像を視認させる受信側画像表示部と；前記情報処理装置から、前記配信情報を取得する受信側取得部と；取得した前記配信情報を表す前記虚像を前記受信側画像表示部に形成させる受信側拡張現実感処理部と、を備える。
この形態の画像表示装置によれば、配信情報を表示させるための画像表示装置を、頭部装着型表示装置として構成することができる。
【００２５】
（１９）本発明の一形態によれば、画像表示システムが提供される。この画像表示システムは；頭部装着型表示装置と；情報処理装置と；他の頭部装着型表示装置と、を備え；前記情報処理装置は；前記情報処理装置に接続された前記頭部装着型表示装置において、虚像として前記頭部装着型表示装置の利用者に表示されている情報である表示情報を取得する取得部と；取得された前記表示情報を加工する加工部と；加工された前記表示情報を、前記情報処理装置に接続された画像表示装置に送信する送信部と、を備え；前記他の頭部装着型表示装置は；利用者に虚像を視認させる受信側画像表示部と；前記情報処理装置から、前記加工された表示情報を取得する受信側取得部と；前記頭部装着型表示装置の利用者の近傍に、前記加工された表示情報を視認させるための前記虚像を前記受信側画像表示部に形成させる受信側拡張現実感処理部と、を備える。
この形態の画像表示システムによれば、第三者（すなわち他の頭部装着型表示装置の利用者）の目から見た際の、頭部装着型表示装置の操作のための動作の不自然さを軽減することができる。
【００２６】
（２０）本発明の一形態によれば、画像表示システムが提供される。この画像表示システムは；頭部装着型表示装置と；情報処理装置と；プロジェクターと、を備え；前記情報処理装置は；前記情報処理装置に接続された前記頭部装着型表示装置において、虚像として前記頭部装着型表示装置の利用者に表示されている情報である表示情報を取得する取得部と；取得された前記表示情報を加工する加工部と；加工された前記表示情報を、前記情報処理装置に接続された画像表示装置に送信する送信部と、を備え；前記プロジェクターは；前記情報処理装置から前記加工された表示情報を取得し、前記加工された表示情報を含んだ像を投射する。
この形態の画像表示システムによれば、第三者（すなわちプロジェクターの利用者）の目から見た際の、頭部装着型表示装置の操作のための動作の不自然さを軽減することができる。
【００２７】
（２１）本発明の一形態によれば、画像表示システムが提供される。この画像表示システムは；情報処理装置と；頭部装着型表示装置と、を備え；前記情報処理装置は；前記情報処理装置に接続された前記頭部装着型表示装置に配信するための配信情報を記憶する記憶部と；前記頭部装着型表示装置についての情報と、前記頭部装着型表示装置の利用者についての情報と、のうちの少なくともいずれか一方の情報に応じた前記配信情報を、前記頭部装着型表示装置に送信する制御部と、を備え；前記頭部装着型表示装置は；前記利用者に前記虚像を視認させる受信側画像表示部と；前記情報処理装置から、前記配信情報を取得する受信側取得部と；取得した前記配信情報を表す前記虚像を前記受信側画像表示部に形成させる受信側拡張現実感処理部と、を備える。
この形態の画像表示システムによれば、画像表示装置の利用者、または、情報処理装置を利用して第三者に情報提供を行う情報提供者における利便性を向上させることができる。
【００２８】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２９】
例えば、本発明の一形態は、画像表示部と、加工部と、送信部と、の３つの要素のうちの一部または全部の要素を備えた装置として実現可能である。すなわち、この装置は、画像表示部を有していてもよく、有していなくてもよい。また、この装置は、加工部を有していてもよく、有していなくてもよい。また、この装置は、送信部を有していてもよく、有していなくてもよい。こうした装置は、例えば頭部装着型表示装置として実現できるが、頭部装着型表示装置以外の他の装置としても実現可能である。前述した頭部装着型表示装置の各形態の技術的特徴の一部または全部は、いずれもこの装置に適用することが可能である。例えば、本発明の一形態としての装置は、第三者の目から見た際の、頭部装着型表示装置の操作のための動作の不自然さを軽減することを課題としている。しかし、この装置には、他にも、装置の小型化、利便性の向上、装置製造の際の低コスト化、省資源化、製造の容易化、等が望まれている。
【００３０】
なお、本発明は、種々の態様で実現することが可能であり、例えば、頭部装着型表示装置、頭部装着型表示装置の制御方法、頭部装着型表示装置を含むシステム、情報処理装置、情報処理装置の制御方法、情報処理装置を含むシステム、画像表示装置、画像表示装置の制御方法、画像表示装置を含むシステム、これらの方法、装置、システムの機能を実現するためのコンピュータープログラム、そのコンピュータープログラムを配布するためのサーバー装置、そのコンピュータープログラムを記憶した記憶媒体等の形態で実現することができる。
【図面の簡単な説明】
【００３１】
【図１】本発明の一実施形態における画像表示システムの概略構成を示す説明図である。
【図２】ＨＭＤの構成を機能的に示すブロック図である。
【図３】加工情報の一例を示す図である。
【図４】利用者に視認される虚像の一例を示す説明図である。
【図５】共有処理の手順を示すシーケンス図である。
【図６】共有処理が実行された結果を表す図である。
【図７】サーバーの構成を機能的に示すブロック図である。
【図８】第３のバリエーションにおける共有処理の手順を示すシーケンス図である。
【図９】利用者情報の一例を示す図である。
【図１０】第２実施形態の画像表示システムの概略構成を示す説明図である。
【図１１】第２実施形態における共有処理の手順を示すシーケンス図である。
【図１２】第２実施形態における利用者情報の一例を示す図である。
【図１３】サーバーの構成を機能的に示すブロック図である。
【図１４】配信用情報の一例を示す図である。
【図１５】第３実施形態における共有処理の手順を示すシーケンス図である。
【図１６】第３実施形態の共有処理が実行された結果を表す図である。
【図１７】第３実施形態の共有処理が実行された他の結果を表す図である。
【図１８】加工情報の一例を示す図である。
【図１９】レベル情報の一例を示す図である。
【図２０】第４実施形態における共有処理の手順を示すシーケンス図である。
【図２１】第４実施形態の共有処理が実行された結果を表す図である。
【図２２】変形例におけるＨＭＤの外観の構成を示す説明図である。
【発明を実施するための形態】
【００３２】
Ａ．第１実施形態：
Ａ−１．画像表示システムの構成：
図１は、本発明の一実施形態における画像表示システムの概略構成を示す説明図である。画像表示システム１は、頭部装着型表示装置１００と、頭部装着型表示装置１００ｘと、を備えている。頭部装着型表示装置１００、１００ｘは共に、頭部に装着する表示装置であり、ヘッドマウントディスプレイ（Head Mounted Display、ＨＭＤ）とも呼ばれる。ＨＭＤ１００、１００ｘは共に、利用者が、虚像を視認すると同時に外景も直接視認可能な光学透過型のヘッドマウントディスプレイである。ＨＭＤ１００とＨＭＤ１００ｘとは、図示しないアクセスポイント装置を介した無線通信によって接続されている。
【００３３】
本実施形態では、後述の共有処理を実施することによって、ＨＭＤ１００において虚像としてＨＭＤ１００の利用者に表示されている情報（以降「表示情報」とも呼ぶ。）を、ＨＭＤ１００ｘに表示することで、ＨＭＤ１００ｘの利用者に視認させることができる。表示情報には、種々の情報を含むことができる。例えば、表示情報としては、以下に例示する情報ａ１〜ａ３を含みうる。
【００３４】
（ａ１）拡張現実感（ＡＲ、Augmented Reality）処理において表示される仮想オブジェクト。ここで、「拡張現実感処理」とは、現実世界に実在するオブジェクトである実オブジェクトに対して、ＨＭＤ１００により情報（仮想オブジェクト）を付加する処理である。実オブジェクトとは、任意の人、任意の動植物、任意の物（人工物、自然物等を含む）等を意味する。実オブジェクトは、利用者が関心を寄せている（例えば視線を向けている）オブジェクトである実関心オブジェクトと、利用者の関心外の（例えば視界に入っているものの視線を向けていない）オブジェクトである実背景オブジェクトとの両方を含みうる。「付加」とは、以下の全てを含む意味である。
・仮想オブジェクトを用いて実オブジェクトに情報を付加すること。
・仮想オブジェクトを用いて実オブジェクトを強調すること。
・実オブジェクトが持つ情報（色、形等）を、仮想オブジェクトを用いて削除および減衰させること。
・上述した、付加、強調、削除、減衰の任意の２つ以上の組み合わせ。
拡張現実感処理において、実オブジェクトと、実オブジェクトに付加的に表示される仮想オブジェクトとは、関連があってもよいし、なくてもよい。
（ａ２）ＨＭＤ１００において再生中のコンテンツに含まれる静止画、動画、テキスト文字列、音声。
（ａ３）ＨＭＤ１００において実行中のアプリケーションにより提供される静止画、動画、テキスト文字列、音声、振動。このように、本実施形態では「音声」や「振動」等といった「表示」という態様を採らない情報についても便宜的に「表示情報」と呼ぶ。
【００３５】
なお、以降の説明では、ＨＭＤ１００の利用者を「利用者」とも呼び、ＨＭＤ１００ｘの利用者を「第三者」とも呼ぶ。すなわち、本実施形態では、後述の共有処理を実施することによって、ＨＭＤ１００における表示情報を、第三者に開示することができる。
【００３６】
Ａ−２．ＨＭＤ１００の構成：
Ａ−２−１．画像表示部の構成：
図２は、ＨＭＤ１００の構成を機能的に示すブロック図である。以降、図１と図２を参照しつつ、ＨＭＤ１００の構成について説明する。画像表示部２０は、利用者の頭部に装着される装着体であり、本実施形態では眼鏡形状である（図１）。画像表示部２０は、右保持部２１と、右表示駆動部２２と、左保持部２３と、左表示駆動部２４と、右光学像表示部２６と、左光学像表示部２８と、カメラ６１と、視線検出部６２と、マイク６３と、９軸センサー６６と、を備えている。以降、利用者が画像表示部２０を装着した状態における、画像表示部２０の各部の位置関係と機能について説明する。
【００３７】
図１に示すように、右光学像表示部２６および左光学像表示部２８は、利用者の右の眼前と、左の眼前とにそれぞれ位置するように配置されている。右光学像表示部２６の一端と左光学像表示部２８の一端とは、利用者の眉間に対応する位置で接続されている。図２に示すように、右光学像表示部２６は、右導光板２６１と、図示しない調光板と、を備えている。右導光板２６１は、光透過性の樹脂材料等によって形成され、右表示駆動部２２から出力された画像光を、所定の光路に沿って反射させつつ利用者の右眼ＲＥに導く。調光板は、薄板状の光学素子であり、画像表示部２０の表側（利用者の眼の側とは反対の側）を覆うように配置されている。調光板は、導光板２６１を保護し、損傷や汚れの付着等を抑制する。また、調光板の光透過率を調整することによって、利用者の眼に入る外光量を調整して虚像の視認のしやすさを調整することができる。調光板は省略してよい。左光学像表示部２８は、左導光板２６２と、図示しない調光板とを備えている。詳細は右光学像表示部２６と同様である。右光学像表示部２６および左光学像表示部２８を総称して単に「光学像表示部」とも呼ぶ。光学像表示部は、画像光を用いて利用者の眼前に虚像を形成する限りにおいて任意の方式を用いることができ、例えば、回折格子を用いて実現されてもよいし、半透過反射膜を用いて実現されてもよい。
【００３８】
図１に示すように、右保持部２１は、右光学像表示部２６の他端ＥＲから利用者の側頭部に対応する位置にかけて延伸して設けられている。左保持部２３は、左光学像表示部２８の他端ＥＬから利用者の側頭部に対応する位置にかけて、延伸して設けられている。右保持部２１および左保持部２３は、眼鏡のテンプルのようにして、利用者の頭部に画像表示部２０を保持する。
【００３９】
図１に示すように、右表示駆動部２２は、右保持部２１の内側（利用者の頭部に対向する側）に配置されている。左表示駆動部２４は、左保持部２３の内側に配置されている。図２に示すように、右表示駆動部２２は、受信部（Ｒｘ）５３と、光源として機能する右バックライト（ＢＬ）制御部２０１および右バックライト２２１と、表示素子として機能する右ＬＣＤ（液晶ディスプレイ、Liquid Crystal Display）制御部２１１および右ＬＣＤ２４１と、右投写光学系２５１とを備えている。左表示駆動部２４は、受信部５４と、光源として機能する左バックライト制御部２０２および左バックライト２２２と、表示素子として機能する左ＬＣＤ制御部２１２および左ＬＣＤ２４２と、左投写光学系２５２とを備えている。左表示駆動部２４が備える各部の詳細は、右表示駆動部２２と同様である。右バックライト制御部２０１と、右ＬＣＤ制御部２１１と、右バックライト２２１と、右ＬＣＤ２４１とを総称して「画像光生成部」とも呼ぶ。右表示駆動部２２および左表示駆動部２４を総称して単に「表示駆動部」とも呼ぶ。
【００４０】
受信部５３は、制御部１０と画像表示部２０との間におけるシリアル伝送のためのレシーバーとして機能する。右バックライト制御部２０１は、入力された制御信号に基づいて右バックライト２２１を駆動する。右バックライト２２１は、例えばＬＥＤ（Light Emitting Diode）やエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用の画像データーＤａｔａとに基づいて、右ＬＣＤ２４１を駆動する。右ＬＣＤ２４１は、複数の画素をマトリクス状に配置した透過型液晶パネルである。右投写光学系２５１は、右ＬＣＤ２４１から射出された画像光を並行状態の光束にするコリメートレンズである。
【００４１】
図１に示すように、カメラ６１は、利用者の左右の目尻の上方に対応する位置にそれぞれ配置されているステレオカメラである。左右のカメラ６１は、画像表示部２０の表側方向、換言すれば、ＨＭＤ１００を装着した状態における利用者の視界方向の外景（外部の景色）をそれぞれ撮像し、左右に対応した２枚の外景画像を取得する。カメラ６１はいわゆる可視光カメラであり、カメラ６１により取得される外景画像は、物体から放射される可視光から物体の形状を表す画像である。本実施形態におけるカメラ６１はステレオカメラであるが、単眼カメラとしてもよい。カメラ６１は「画像取得部」として機能する。
【００４２】
図１に示すように、視線検出部６２は、利用者の左右の目尻の下方に対応する位置にそれぞれ配置されている。左右の視線検出部６２は、図示しない赤外線発光部と赤外線受光部とをそれぞれ備える。右側の視線検出部６２は、赤外線発光部から射出されて、利用者の右眼に当たり反射した赤外線を受光する。制御部１０のＣＰＵ１４０は、右側の視線検出部６２が受光した赤外線の強さに基づいて、利用者の右眼の視線の動きを取得する。同様に、左側の視線検出部６２は、赤外線発光部から射出されて、利用者の左眼に当たり反射した赤外線を受光する。ＣＰＵ１４０は、左側の視線検出部６２が受光した赤外線の強さに基づいて、利用者の左眼の視線を検出する。赤外線の反射率は、赤外線が虹彩（黒目）に当たった場合と、赤外線がまぶたに当たった場合と、赤外線が白目に当たった場合と、でそれぞれ異なる。このため、ＣＰＵ１４０は、視線検出部６２が受光した赤外線の強さによって、利用者の視線の動きを取得することができる。この場合、視線検出部６２とＣＰＵ１４０とは、利用者の視線の方向を検出する「視線検出部」として機能する。本実施形態における視線検出部６２は左右それぞれに設けられるとしたが、左右いずれか一方でもよい。
【００４３】
図１に示すように、マイク６３は、利用者の鼻の上方に対応する位置に配置されているマイクである。マイク６２は、外部の音声を取得する。「音声」とは、人の声のみでなく、機械音等を含む広義の音を意味する。
【００４４】
図１に示すように、９軸センサー６６は、利用者の右側のこめかみに対応する位置に配置されている。９軸センサー６６は、加速度（３軸）、角速度（３軸）、地磁気（３軸）を検出するモーションセンサーである。９軸センサー６６は、画像表示部２０に設けられているため、画像表示部２０が利用者の頭部に装着されているときには、ヘッドマウントディスプレイ１００の利用者の頭部の動きを検出する動き検出部として機能する。ここで、頭部の動きとは、頭部の速度・加速度・角速度・向き・向きの変化を含む。
【００４５】
図１に示すように、画像表示部２０は、画像表示部２０と制御部１０とを接続するための接続部４０を備えている。接続部４０は、制御部１０に接続される本体コード４８と、本体コード４８が分岐した右コード４２および左コード４４と、分岐点に設けられた連結部材４６と、を含んでいる。連結部材４６には、イヤホンプラグ３０を接続するためのジャックが設けられている。イヤホンプラグ３０からは、右イヤホン３２および左イヤホン３４が延伸している。画像表示部２０と制御部１０とは、接続部４０を介して各種信号の伝送を行う。接続部４０の各コードには、例えば、金属ケーブルや光ファイバーを採用することができる。
【００４６】
Ａ−２−２．制御部の構成：
制御部１０はＨＭＤ１００を制御するための装置である。図１に示すように、制御部１０は、決定キー１１と、点灯部１２と、表示切替キー１３と、トラックパッド１４と、輝度切替キー１５と、方向キー１６と、メニューキー１７と、電源スイッチ１８と、を備えている。決定キー１１は、押下操作を検出して、制御部１０において操作された内容を決定するための信号を出力する。点灯部１２は、例えばＬＥＤによって実現され、ＨＭＤ１００の動作状態（例えば電源のＯＮ／ＯＦＦ等）を発光状態によって通知する。表示切替キー１３は、押下操作を検出して、例えばコンテンツ動画の表示モードを３Ｄと２Ｄとに切り替える信号を出力する。トラックパッド１４は、トラックパッド１４の操作面上における利用者の指の操作を検出して、検出内容に応じた信号を出力する。トラックパッド１４としては、静電式や圧力検出式、光学式といった種々の方式を採用できる。輝度切替キー１５は、押下操作を検出して、画像表示部２０の輝度を増減する信号を出力する。方向キー１６は、上下左右方向に対応するキーへの押下操作を検出して、検出内容に応じた信号を出力する。電源スイッチ１８は、スイッチのスライド操作を検出することで、ＨＭＤ１００の電源投入状態を切り替える。
【００４７】
図２に示すように、制御部１０は、入力情報取得部１１０と、記憶部１２０と、電源１３０と、無線通信部１３２と、ＧＰＳモジュール１３４と、ＣＰＵ１４０と、インターフェイス１８０と、送信部（Ｔｘ）５１および５２とを備え、各部は図示しないバスにより相互に接続されている。
【００４８】
入力情報取得部１１０は、決定キー１１、表示切替キー１３、トラックパッド１４、輝度切替キー１５、方向キー１６、メニューキー１７、および、電源スイッチ１８に対する操作入力に応じた信号を取得する。入力情報取得部１１０は、上記以外の種々の方法を用いた操作入力を取得することができる。例えば、カメラ６１を用いて利用者のジェスチャーを検知し、ジェスチャーに対応付けられたコマンドによる操作入力を取得してもよい。ジェスチャー検知の際は、利用者の指先や、利用者の手に付けられた指輪や、利用者の手にする医療器具等を動き検出のための目印にすることができる。例えば、視線検出部６２によって検出された利用者の視線や、目の動きに対応付けられたコマンドによる操作入力を取得してもよい。このコマンドは利用者によって追加可能に設定されていてもよい。例えば、マイク６３によって取得された音声を音声認識することによる操作入力を取得してもよい。例えば、図示しないフットスイッチ（利用者の足により操作するスイッチ）による操作入力を取得してもよい。これらの方法による操作入力を取得可能とすれば、利用者が手を離すことが困難である作業においても、入力情報取得部１１０は、利用者からの操作入力を取得することができる。
【００４９】
記憶部１２０は、ＲＯＭ、ＲＡＭ、ＤＲＡＭ、ハードディスク等によって構成されている。記憶部１２０には、オペレーティングシステム（ОＳ）をはじめとする種々のコンピュータープログラムが格納されている。また、記憶部１２０には、加工情報１２２が予め記憶されている。
【００５０】
図３は、加工情報の一例を示す図である。加工情報１２２は、共有処理において、ＨＭＤ１００の利用者に表示されている情報（表示情報）を加工する際に使用される情報である。加工情報１２２には、情報の種類と、加工の方法と、が関連付けて記憶されている。「情報の種類」は、表示情報の種類を表す。「加工の方法」は、共有処理における表示情報の加工のための方法を表す。図３の例では、共有処理において、表示情報の種類が静止画像である場合は画像のフィルタリングを実施することがわかる（エントリーＥ０１）。同様に、表示情報の種類が動画像である場合は解像度の変更を実施し（エントリーＥ０２）、表示情報の種類がテキスト文字列である場合は代替テキストの埋め込みを実施し（エントリーＥ０３）、表示情報の種類が仮想オブジェクトである場合は単色シルエット画像への置換を実施し（エントリーＥ０４）、表示情報の種類が音声である場合は代替音声への置換を実施し（エントリーＥ０５）、表示情報の種類が上述以外のものである場合は非表示とすることがわかる（エントリーＥ０６）。
【００５１】
図２に示すように、電源１３０は、ＨＭＤ１００の各部に電力を供給する。電源１３０としては、例えば二次電池を用いることができる。無線通信部１３２は、所定の無線通信規格に則って、外部装置（例えば、図１の例ではＨＭＤ１００ｘ）との間で無線通信を行う。所定の無線通信規格とは、例えば、赤外線、Ｂｌｕｅｔｏｏｔｈ（登録商標）に例示される近距離無線通信、ＩＥＥＥ８０２．１１に例示される無線ＬＡＮ等である。ＧＰＳモジュール１３４は、ＧＰＳ衛星からの信号を受信することにより、ＨＭＤ１００の利用者の現在位置を検出し、利用者の現在位置情報を表す現在位置情報を生成する。現在位置情報は、例えば緯度経度を表す座標によって実現することができる。
【００５２】
ＣＰＵ１４０は、記憶部１２０に格納されているコンピュータープログラムを読み出して実行することにより、拡張現実感処理部１４２、取得部１４４、加工部１４６、送信部１４８、オペレーティングシステム（ＯＳ）１５０、画像処理部１６０、音声処理部１７０、表示制御部１９０として機能する。
【００５３】
拡張現実感処理部１４２は、拡張現実感処理を実行する。拡張現実感処理は、現実世界に実在する実オブジェクトに対して、仮想オブジェクトを付加して表示するための処理であり、以下の手順ｂ１〜ｂ６を含む。
（ｂ１）外景画像の取得：
拡張現実感処理部１４２は、カメラ６１により撮像された外景画像を取得する。
（ｂ２）対象オブジェクトの特定：
拡張現実感処理部１４２は、手順ｂ１で取得した外景画像に含まれる実オブジェクトの中から、仮想オブジェクトを付加する対象となる実オブジェクト（以降、「対象オブジェクト」とも呼ぶ。）を特定する。この特定のために、拡張現実感処理部１４２は、実オブジェクトを特定するための情報と仮想オブジェクトを特定するための情報とを対応付けたテーブルを利用してもよい。このテーブルは、予めＨＭＤ１００の記憶部１２０に記憶されている。このテーブルは、カメラ６１により撮影された外景画像を用いた画像認識によって拡張現実感処理部１４２が自動的に生成してもよい。また、ＨＭＤ１００の利用者によって生成または編集されてもよい。利用者による生成または編集にあたっては、ジェスチャーによる操作入力や、発声内容の音声認識による操作入力を利用してもよい。
（ｂ３）対象オブジェクトの位置取得：
拡張現実感処理部１４２は、対象オブジェクトの位置を取得する。ここで、「位置」とは、利用者からの距離、および、利用者の視界内における水平方向および鉛直方向の位置を含む。この際、拡張現実感処理部１４２は、ステレオカメラであるカメラ６１によって取得された２枚以上の外景画像を用いて、対象オブジェクトの位置を算出してもよい。また、拡張現実感処理部１４２は、カメラ６１により取得された１枚以上の外景画像と、図示しない各種のセンサー（例えば、深度センサー、測距センサー等）とを併用して、対象オブジェクトの位置を算出してもよい。
（ｂ４）仮想オブジェクトの取得：
拡張現実感処理部１４２は、仮想オブジェクトを表す画像、文字、図形記号等（例えば、ポインター、ショートカット、メニュー、ラジオボタン、選択ボタン、ソフトキーボード等）を取得または生成する。拡張現実感処理部１４２は、仮想オブジェクトを記憶部１２０に予め記憶していてもよいし、仮想オブジェクトをＨＭＤ１００にネットワーク接続されている他の装置から取得してもよい。
（ｂ５）仮想オブジェクトの配置：
拡張現実感処理部１４２は、手順ｂ３で取得した対象オブジェクトの位置に合わせて、手順ａ４の仮想オブジェクトを配置した付加画像データーを生成する。この位置合わせの際、拡張現実感処理部１４２は、対象オブジェクトの特徴部（エッジ等）を利用してもよいし、対象オブジェクトに付されたマーカー等の目印を利用してもよい。位置合わせの際、拡張現実感処理部１４２は、予め記憶部１２０に記憶されている対象オブジェクトのモデル（または画像）を用いた画像認識を利用してもよく、利用者による指示に基づいてもよい。また、拡張現実感処理部１４２は、仮想オブジェクトを配置する際に、仮想オブジェクトに対して拡大、縮小、回転、色変換等の画像処理を施してもよい。
（ｂ６）表示：
拡張現実感処理部１４２は、生成した画像データーに基づく画像を、画像処理部１６０へ送信し、画像表示部２０の光学像表示部２６、２８に表示させる。
【００５４】
取得部１４４は、共有処理において、ＨＭＤ１００の利用者に表示されている情報（表示情報、情報ａ１〜ａ３）を取得する。加工部１４６は、共有処理において、加工情報１２２に基づき表示情報を加工する。送信部１４８は、共有処理において、加工された表示情報を、ＨＭＤ１００ｘへ送信し、ＨＭＤ１００ｘに表示させる。詳細は後述する。
【００５５】
画像処理部１６０は、画像表示のための信号処理を行う。具体的には、画像処理部１６０は、インターフェイス１８０や無線通信部１３２を介してコンテンツが入力されている場合、コンテンツに基づく画像データーＤａｔａを生成する。画像処理部１６０は、ＨＭＤ１００の他の機能部から画像データーを受信した場合、受信したデーターを画像データーＤａｔａとする。画像処理部１６０は、画像データーＤａｔａに対して、解像度変換処理、輝度や彩度の調整といった種々の色調補正処理、キーストーン補正処理等の画像処理を実行してもよい。画像処理部１６０は、上述の画像データーＤａｔａと、クロック信号ＰＣＬＫと、垂直同期信号ＶＳｙｎｃと、水平同期信号ＨＳｙｎｃと、を、送信部５１、５２を介して、画像表示部２０へ送信する。送信部５１を介して送信される画像データーＤａｔａを「右眼用画像データーＤａｔａ１」とも呼び、送信部５２を介して送信される画像データーＤａｔａを「左眼用画像データーＤａｔａ２」とも呼ぶ。
【００５６】
表示制御部１９０は、右表示駆動部２２および左表示駆動部２４を制御する制御信号を生成する。具体的には、表示制御部１９０は、制御信号により、左右のＬＣＤ制御部２１１、２１２による左右のＬＣＤ２４１、２４２の駆動ＯＮ／ＯＦＦや、左右のバックライト制御部２０１、２０２による左右のバックライト２２１、２２２の駆動ＯＮ／ＯＦＦを個別に制御することにより、右表示駆動部２２および左表示駆動部２４のそれぞれによる画像光の生成および射出を制御する。表示制御部１９０は、これらの制御信号を、送信部５１、５２を介して画像表示部２０へ送信する。
【００５７】
音声処理部１７０は、コンテンツに含まれる音声信号を取得し、取得した音声信号を増幅して、右イヤホン３２の図示しないスピーカーと、左イヤホン３４の図示しないスピーカーとに対して供給する。
【００５８】
インターフェイス１８０は、所定の有線通信規格に則って、外部装置ＯＡとの間で通信を行う。所定の有線通信規格としては、例えば、ＭｉｃｒｏＵＳＢ（Universal Serial Bus）、ＵＳＢ、ＨＤＭＩ（High Definition Multimedia Interface、ＨＤＭＩは登録商標）、ＤＶＩ（Digital Visual Interface）、ＶＧＡ（Video Graphics Array）、コンポジット、ＲＳ−２３２Ｃ（Recommended Standard 232）、ＩＥＥＥ８０２．３に例示される有線ＬＡＮ等である。外部機器ОＡとしては、例えば、パーソナルコンピューターＰＣや携帯電話端末、ゲーム端末等を利用することができる。
【００５９】
図４は、利用者に視認される虚像の一例を示す説明図である。図４（Ａ）は、拡張現実感処理を実行していない場合の利用者の視野ＶＲを例示している。上述のようにして、ＨＭＤ１００の利用者の両眼に導かれた画像光が利用者の網膜に結像することにより、利用者は虚像ＶＩを視認する。図４（Ａ）の例では、虚像ＶＩは、ＨＭＤ１００のＯＳ１５０の待ち受け画面である。利用者は、右光学像表示部２６および左光学像表示部２８を透過して外景ＳＣを視認する。このように、本実施形態のＨＭＤ１００の利用者は、視野ＶＲのうち虚像ＶＩが表示された部分については、虚像ＶＩと、虚像ＶＩの背後に外景ＳＣとを見ることができる。また、視野ＶＲのうち虚像ＶＩが表示されていない部分については、光学像表示部を透過して、外景ＳＣを直接見ることができる。
【００６０】
図４（Ｂ）は、拡張現実感処理を実行している場合の利用者の視野ＶＲを例示している。拡張現実感処理部１４２が上述した拡張現実感処理を実行することによって、利用者は、仮想オブジェクトを含んだ虚像ＶＩを視認する。図４（Ｂ）の例では、仮想オブジェクトＶＯ１は、外景ＳＣの現実世界の山（実オブジェクト）の近傍に表示された吹き出し形状の情報である。ここで、「近傍」とは、利用者に対して実オブジェクトと仮想オブジェクトとの間における関連性を想起させる程度の距離（例えば数センチ）を意味する。また、本実施形態の「近傍」には、実オブジェクトと仮想オブジェクトとの少なくとも一部分が重なっている場合も含む。仮想オブジェクトＶＯ２は、外景ＳＣ内の現実世界の木（実オブジェクト）に重畳するように表示されたノート形状の情報である。仮想オブジェクトＶＯ３は、外景ＳＣの現実世界の道（実オブジェクト）の上に重畳するように配置されたリンゴの画像である。仮想オブジェクトＶＯ４は、リンゴの画像、すなわち、仮想オブジェクトＶＯ３の近傍に表示された吹き出し形状の情報である。このように、利用者は、虚像ＶＩに含まれる仮想オブジェクトＶＯ１〜ＶＯ４と、虚像ＶＩの背後に透過して見える外景ＳＣ内の実オブジェクトと、の両方を見ることで、拡張現実感を体感することができる。
【００６１】
Ａ−３．ＨＭＤ１００ｘの構成：
ＨＭＤ１００ｘの構成は、取得部１４４の動作が相違する点と、加工部１４６を備えない点と、送信部１４８を備えない点と、を除いては、図１および図２で説明したＨＭＤ１００と同じである。以降では、区別のために、ＨＭＤ１００ｘの拡張現実感処理部１４２を「受信側拡張現実感処理部１４２」と呼び、取得部１４４を「受信側取得部１４４」と呼び、画像表示部２０を「受信側画像表示部２０」と呼ぶ。ＨＭＤ１００ｘは「画像表示装置」および「他の頭部装着型表示装置」として機能する。
【００６２】
Ａ−４．共有処理：
図５は、共有処理の手順を示すシーケンス図である。第１実施形態の共有処理は、ＨＭＤ１００とＨＭＤ１００ｘとが協働することによって実行される。共有処理の開始トリガーは任意に定めることができる。例えば、ＨＭＤ１００のＯＳ１５０や特定のアプリケーションからの処理開始要求を開始トリガーとしてよい。
【００６３】
ステップＳ１０２においてＨＭＤ１００の取得部１４４は、ＧＰＳモジュール１３４により取得された現在位置情報と、９軸センサー６６により取得された向き情報と、を取得する。ステップＳ１０４において取得部１４４は、現在、ＨＭＤ１００において虚像ＶＩ（図４）として表示されている表示情報（例えば情報ａ１〜ａ３）を取得する。また、取得部１４４は、取得した表示情報を解析することで、表示情報の種類を取得する。表示情報の種類とは、静止画像、動画像、テキスト、仮想オブジェクト、音声、その他、である（図３）。ステップＳ１０４で取得される表示情報と表示情報の種類とは、複数組あってもよい。
【００６４】
ステップＳ１０６においてＨＭＤ１００の加工部１４６は、表示情報を加工する。具体的には、加工部１４６は、ステップＳ１０４で取得された表示情報の種類をキーとして加工情報１２２を検索し、当該種類に対応付けられている加工の方法を取得する。取得した加工の方法に従って、ステップＳ１０４で取得された表示情報を加工する。加工された表示情報を「加工後情報」とも呼ぶ。
【００６５】
ステップＳ１０６の加工の際、加工部１４６は、表示情報における情報の詳細さ、明確さ等を低減させるような加工をすることが好ましい。例えば、画像のフィルタリングを実施（エントリーＥ０１）する場合、加工部１４６は、表示情報にテクスチャを変える、ノイズを加える、モザイクを掛ける、ぼかしを加える、等の加工を施すことで、表示情報における情報の詳細さ、明確さ等を低減させるような加工を実現できる。解像度の変更を実施（エントリーＥ０２）する場合、加工部１４６は、解像度を落とすことで、同様の加工を実現できる。代替テキストの埋め込みを実施（エントリーＥ０３）する場合、加工部１４６は、代替テキストを「ＸＸＸ」等の意味をなさない文字列とすることで、同様の加工を実現できる。代替音声への置換を実施（エントリーＥ０５）する場合、加工部１４６は、代替音声を、意味をなさない音声とすることで、同様の加工を実現できる。
【００６６】
ステップＳ１０８においてＨＭＤ１００の送信部１４８は、ステップＳ１０２で取得した現在位置情報と、向き情報と、加工後情報（以降まとめて「加工後情報等」とも呼ぶ。）と、をＨＭＤ１００ｘへ送信する。この送信の際、送信部１４８は、ブロードキャスト送信を用いることができる。ブロードキャスト送信を利用すれば、送信部１４８は、ブロードキャスト範囲内の複数の画像表示装置（図１の例ではＨＭＤ１００ｘ）に対して、簡単かつ一括して、加工後情報等を送信することができる。また、ブロードキャスト送信を利用すれば、送信部１４８は、複数の画像表示装置の宛先、すなわち、ネットワークアドレスを知らなくてもよい。
【００６７】
ステップＳ１１０においてＨＭＤ１００ｘの受信側取得部１４４は、加工後情報等を取得する。ステップＳ１１２において受信側拡張現実感処理部１４２は、外景画像を取得する。ステップＳ１１２は、拡張現実感処理の手順ｂ１に相当する。ステップＳ１１４において受信側拡張現実感処理部１４２は、ＨＭＤ１００ｘのＧＰＳモジュール１３４により取得された現在位置情報と、９軸センサー６６により取得された向き情報と、を取得する。
【００６８】
ステップＳ１１６において受信側拡張現実感処理部１４２は、表示用画像を生成する。具体的には、受信側拡張現実感処理部１４２は、以下に沿って、上述した拡張現実感処理の手順ｂ２〜ｂ５を実行することで、表示用画像（付加画像データー）を生成することができる。
・受信側拡張現実感処理部１４２は、手順ｂ２の対象オブジェクトを「ＨＭＤ１００の利用者」とする。
・受信側拡張現実感処理部１４２は、手順ｂ３の対象オブジェクトの位置の取得の際、ステップＳ１１０で取得したＨＭＤ１００の現在位置情報および向き情報と、ステップＳ１１４で取得したＨＭＤ１００ｘの現在位置情報および向き情報と、を併用してもよい。
・受信側拡張現実感処理部１４２は、手順ｂ４の仮想オブジェクトとして「ステップＳ１１０で取得した加工後情報」を用いる。
【００６９】
ステップＳ１１８においてＨＭＤ１００ｘの受信側拡張現実感処理部１４２は、表示用画像（付加画像データー）を受信側画像表示部２０に表示させる。ステップＳ１１８は、拡張現実感処理の手順ｂ６に相当する。
【００７０】
図６は、共有処理が実行された結果を表す図である。ＨＭＤ１００において拡張現実感処理が実行された結果、ＨＭＤ１００の利用者ＵＲ１は、視野ＶＲ１において、リンゴの仮想オブジェクトＶＯ１を表す虚像ＶＩ１を視認する。利用者ＵＲ１には、現実世界には実在しないリンゴＶＯ１´が目前にあるような感覚を持つ。利用者ＵＲ１は、リンゴＶＯ１´に対する操作（ＨＭＤ１００の制御部１０への操作）のための動作をしようと、例えば手を前方に伸ばす。ここで、図５に示した共有処理が実行されることによって、ＨＭＤ１００からＨＭＤ１００ｘに対して、リンゴの仮想オブジェクトＶＯ１をシルエット化した加工後情報ＩＭが送信される（図中矢印）。加工後情報ＩＭを受信したＨＭＤ１００ｘにおいて、共有処理のステップＳ１１０〜Ｓ１１８が実行された結果、ＨＭＤ１００ｘの利用者ＵＲ２（第三者）は、視野ＶＲ２において、リンゴの仮想オブジェクトＶＯ１がシルエット化された仮想オブジェクトＶＯ２を表す虚像ＶＩ２を視認する。また、第三者ＵＲ２は、右光学像表示部２６および左光学像表示部２８を透過して外景ＳＣ２内の利用者ＵＲ１を視認する。この結果、第三者は、利用者ＵＲ１が何を見ているかを察することができ、利用者ＵＲ１が何をしようとしているかを察することができる。
【００７１】
以上のように、第１実施形態の共有処理によれば、ＨＭＤ１００の送信部１４８は、虚像ＶＩ１として利用者ＵＲ１に表示されている情報である表示情報（仮想オブジェクトＶＯ１）を、頭部装着型表示装置（ＨＭＤ１００）に接続された画像表示装置（ＨＭＤ１００ｘ）に送信する。表示情報を受信した画像表示装置において、表示された表示情報を見た第三者（利用者ＵＲ２）は、頭部装着型表示装置の利用者ＵＲ１が何を見ているかを察することができる。この結果、頭部装着型表示装置の利用者ＵＲ１が、頭部装着型表示装置を操作するための動作（例えば、ジェスチャーや発声等）を行ったとしても、第三者ＵＲ２の目に不自然に映りづらい。すなわち、第三者ＵＲ２の目から見た際の、頭部装着型表示装置の操作のための動作の不自然さを軽減することができる。さらに、ＨＭＤ１００の送信部１４８が画像表示装置に送信し、表示させる表示情報は、加工された表示情報（加工後情報、仮想オブジェクトＶＯ１がシルエット化された仮想オブジェクトＶＯ２）である。このため、例えば表示情報における情報の詳細さ、明確さ等を低減させるような加工を施すことによって、送信部１４８は、そのままの表示情報を画像表示装置に送信し、表示させる場合と比較して、表示情報を第三者に開示することに伴うセキュリティーを向上させることができる。
【００７２】
さらに、上記実施形態の共有処理（ステップＳ１０６）によれば、ＨＭＤ１００の加工部１４６は、表示情報（例えば、静止画像、動画像、テキスト、仮想オブジェクト、音声、その他）の種類に応じて、加工の方法を変更する。このため、加工部１４６は、情報の種類ごとに最適な加工方法を採用することもでき、情報の種類ごとに第三者への開示の程度を変更することもできる。
【００７３】
さらに、上記実施形態の共有処理によれば、表示情報を第三者ＵＲ２に開示するための画像表示装置を、頭部装着型表示装置（ＨＭＤ１００ｘ）として構成することができる。また、共有処理のステップＳ１１６によれば、受信側拡張現実感処理部１４２は、第三者ＵＲ２の視界内において、頭部装着型表示装置（ＨＭＤ１００）の利用者ＵＲ１の近傍に表示情報ＶＯ２を視認させる。このため第三者ＵＲ２は、より直感的に、頭部装着型表示装置の利用者ＵＲ１と、当該利用者が見ている情報と、を結びつけて理解することができる。
【００７４】
Ａ−５．共有処理のバリエーション：
上述した共有処理には、次に列挙するバリエーションを採用することができる。バリエーションは、単独で採用されてもよいし、組み合わせて採用されてもよい。
【００７５】
Ａ−５−１．第１のバリエーション：
第１のバリエーションでは、加工部１４６が、表示情報の種類に代えて、ＨＭＤ１００ｘの利用者（第三者）の権限に応じて、表示情報の加工の方法を変更する。以降では、第１実施形態と異なる構成および動作についてのみ説明する。以降説明しない構成および動作は、第１実施形態と同じである。
【００７６】
ＨＭＤ１００は、加工情報１２２に代えて加工情報１２２ａを備える。加工情報１２２ａには、ユーザー識別情報と、加工の方法と、が関連付けて記憶されている。「ユーザー識別情報」は、ＨＭＤ１００に接続されている１つまたは複数の画像表示装置（図１の例ではＨＭＤ１００ｘ）の利用者を一意に識別するための情報である。この結果、加工情報１２２ａには、例えば、ユーザー識別情報「ＡＡＡ」の場合は、共有処理において画像のフィルタリングを実施し、ユーザー識別情報「ＢＢＢ」の場合は、共有処理において単色シルエット画像への置換を実施する、というような情報が記憶される。なお、ユーザー識別情報としては、ユーザーＩＤのような利用者に個々に付された情報のほか、利用者の職業のような、複数の利用者からなる利用者グループを識別するための情報が使用されてもよい。ユーザー識別情報としては、利用者の現在位置のような、利用者の現在いる場所を表す情報が使用されてもよい。
【００７７】
共有処理（図５）のステップＳ１０４が終了した後、ＨＭＤ１００の取得部１４４は、ＨＭＤ１００ｘからユーザー識別情報を取得する。ステップＳ１０６においてＨＭＤ１００の加工部１４６は、取得したユーザー識別情報をキーとして加工情報１２２ａを検索し、検索結果に応じた加工の方法を用いて、表示情報を加工する。
【００７８】
このように、第１のバリエーションによれば、ＨＭＤ１００の加工部１４６は、画像表示装置（ＨＭＤ１００ｘ）の利用者（すなわち第三者）の権限に応じて加工の方法を変更する。このため、加工部１４６は、当該権限のレベルに応じて画像表示装置の利用者への開示の程度を変更することができる。例えば、加工情報１２２ａにおいて予め、親しい第三者に対しては、表示情報における情報の詳細さ、明確さ等を大幅に低減させる加工方法を指定し、親しくない第三者に対しては、表示情報における情報の詳細さ、明確さ等をわずかに低減させる加工方法を指定しておけば、ＨＭＤ１００の利用者のプライバシーを守り、かつ、使い勝手を向上させることができる。
【００７９】
なお、加工部１４６は、表示情報の種類と、ユーザー識別情報と、の組み合わせに応じて加工の方法を変更してもよい。この場合、加工情報１２２ａに対して、表示情報の種類と、ユーザー識別情報と、加工の方法と、を関連付けて記憶しておく。加工部１４６は、加工の方法を決定する際に、表示情報の種類と、ユーザー識別情報と、の両方をキーとして加工情報１２２ａを検索すればよい。
【００８０】
Ａ−５−２．第２のバリエーション：
第２のバリエーションでは、加工部１４６は、表示情報の種類と、ＨＭＤ１００ｘの利用者（第三者）の権限と、のどちらも利用せずに、表示情報の加工の方法を変更する。以降では、第１実施形態と異なる構成および動作についてのみ説明する。以降説明しない構成および動作は、第１実施形態と同じである。
【００８１】
ＨＭＤ１００は、加工情報１２２に代えて加工情報１２２ｂを備える。加工情報１２２ｂには、レベル設定値と、加工の方法と、が関連付けて記憶されている。「レベル設定値」は、加工後情報のセキュリティーレベルを指定するための数値、文字列等である。すなわち、レベル設定値が高いほど、加工による表示情報における情報の詳細さ、明確さ等が大幅に低減されることを意味する。この結果、加工情報１２２ｂには、例えば、レベル設定値「高」の場合は、共有処理において単色シルエット画像への置換を実施し、レベル設定値「中」の場合は、共有処理において画像のフィルタリングを実施し、レベル設定値「低」の場合は、共有処理において解像度の変換を実施する、というような情報が記憶される。
【００８２】
共有処理（図５）のステップＳ１０６においてＨＭＤ１００の加工部１４６は、利用者からのレベル設定値の指定に基づいた加工の方法を用いて、表示情報を加工する。利用者からのレベル設定値の指定は、共有処理の中で取得してもよいし、予め記憶部１２０等に記憶されていてもよい。
【００８３】
このように、第２のバリエーションによれば、ＨＭＤ１００の加工部１４６は、加工後情報のセキュリティーレベルの指定だけで、簡単に、表示情報における情報の詳細さ、明確さ等を低減させるような加工を施すことができる。第２のバリエーションによれば、表示情報の種類やＨＭＤ１００ｘの利用者（第三者）の権限を用いた照合を省略することができるため、共有処理の処理内容を簡略化できる。
【００８４】
Ａ−５−３．第３のバリエーション：
第３のバリエーションでは、ネットワークを介して接続されている情報処理装置を利用して、共有処理を実行する。以降では、第１実施形態と異なる構成および動作についてのみ説明する。以降説明しない構成および動作は、第１実施形態と同じである。
【００８５】
第３のバリエーションにおいて、画像表示システム１は、ＨＭＤ１００と、ＨＭＤ１００ｘとに加えてさらに、サーバー３００を添えている。ＨＭＤ１００とＨＭＤ１００ｘとは、図示しない通信キャリアを介して無線通信でインターネットに接続されている。サーバー３００は、有線または無線通信でインターネットに接続されている。この結果、ＨＭＤ１００とサーバー３００、および、ＨＭＤ１００ｘとサーバー３００は、互いにインターネットによって接続される。
【００８６】
図７は、サーバー３００の構成を機能的に示すブロック図である。サーバー３００は、ＣＰＵ３１０と、記憶部３２０と、ＲＯＭ３３０と、ＲＡＭ３４０と、通信インターフェイス（Ｉ／Ｆ）３５０と、を備え、各部は図示しないバスにより相互に接続されている。
【００８７】
ＣＰＵ３１０は、記憶部３２０やＲＯＭ３３０に格納されているコンピュータープログラムをＲＡＭ３４０に展開して実行することにより、サーバー３００の各部を制御する。そのほか、ＣＰＵ３１０は、取得部３１４、加工部３１６、送信部３１８としても機能する。取得部３１８は、共有処理において、ＨＭＤ１００から、ＨＭＤ１００の利用者に表示されている情報（表示情報、情報ａ１〜ａ３）を取得する。加工部１４６は、共有処理において、加工情報３２２に基づき表示情報を加工する。送信部３４８は、共有処理において、加工された表示情報を、ＨＭＤ１００ｘへ送信し、ＨＭＤ１００ｘに表示させる。
【００８８】
記憶部３２０は、ＲＯＭ、ＲＡＭ、ＤＲＡＭ、ハードディスク等によって構成されている。記憶部３２０には、オペレーティングシステム（ОＳ）をはじめとする種々のコンピュータープログラムが格納されている。また、記憶部３２０には、加工情報３２２と、利用者情報３２４と、が記憶されている。加工情報３２２の内容は、図３に示した加工情報１２２と同じである。利用者情報３２４は、共有処理において、サーバー３００が複数のＨＭＤ１００からそれぞれ取得した表示情報等を記憶するための記憶部である。詳細は後述する。
【００８９】
図８は、第３のバリエーションにおける共有処理の手順を示すシーケンス図である。図５に示した第１実施形態との違いは、ステップＳ１０６、Ｓ１０８に代えて、ステップＳ２０２〜Ｓ２１４を備える点である。
【００９０】
ステップＳ２０２においてＨＭＤ１００の送信部１４８は、サーバー３００に対して記憶要求を送信する。記憶要求には、ＨＭＤ１００の利用者を一意に識別するためのユーザー識別情報と、ステップＳ１０２で取得された現在位置情報および向き情報と、ステップＳ１０４で取得された表示情報および表示情報の種類と、が含まれている。ステップＳ１０２で取得された現在位置情報は「第１の現在位置情報」として機能する。
【００９１】
図９は、利用者情報３２４の一例を示す図である。図８のステップＳ２０４においてサーバー３００の取得部３１４は、記憶要求に含まれる表示情報等を取得し、利用者情報３２４に記憶させる。この結果、利用者情報３２４には、ＨＭＤ１００から取得した記憶要求に基づく１つのエントリー、例えば、ユーザー識別情報「ＣＣＣ」、現在位置情報「ＸＸＸＸＸ」、向き情報「ＸＸＸＸＸ」、表示情報「ＸＸＸＸＸ」、表示情報の種類「仮想オブジェクト」であることを表すエントリーＥ０３が追加される。なお、「Ｘ」は任意のデーターを表す。このように、サーバー３００の利用者情報３２４には、複数のＨＭＤ１００から取得した表示情報等を蓄積しておくことができる。
【００９２】
図８のステップＳ２０６においてＨＭＤ１００ｘの受信側拡張現実感処理部１４２は、ＨＭＤ１００ｘのＧＰＳモジュール１３４により取得された現在位置情報と、９軸センサー６６により取得された向き情報と、を取得する。ステップＳ２０８において受信側拡張現実感処理部１４２は、サーバー３００に対して取得要求を送信する。取得要求には、ステップＳ２０６で取得された現在位置情報および向き情報が含まれている。ステップＳ２０６で取得された現在位置情報は「第２の現在位置情報」として機能する。
【００９３】
ステップＳ２１０においてサーバー３００の送信部３１８は、取得要求の送信元であるＨＭＤ１００ｘの所定範囲内の利用者情報を検索する。具体的には、送信部３１８は、取得要求に含まれるＨＭＤ１００ｘの現在位置情報と、利用者情報３２４（図９）の現在位置情報と、を比較することで、ＨＭＤ１００ｘの所定範囲内に存在するＨＭＤ１００から取得されたエントリーを検索する。ステップＳ２１２においてサーバー３００の加工部３１６は、ステップＳ２１０で検索されたエントリーに含まれる表示情報を、ステップＳ２１０で検索されたエントリーに含まれる表示情報の種類に応じた加工の方法により加工する。詳細は図５のステップＳ１０６と同様である。ステップＳ２１４においてサーバー３００の送信部３１８は、加工後情報を含む応答をＨＭＤ１００ｘへ送信する。
【００９４】
応答を受信した後、ＨＭＤ１００ｘでは、図５のステップＳ１１０〜Ｓ１１８で説明した処理と同様の処理が実行される。
【００９５】
このように、第３のバリエーションによれば、上記第１実施形態と同様の効果を得ることができる。すなわち、サーバー３００の送信部３１８は、虚像として頭部装着型表示装置（ＨＭＤ１００）の利用者に表示されている情報である表示情報を、情報処理装置（サーバー３００）に接続された画像表示装置（ＨＭＤ１００ｘ）に送信する。表示情報を受信した画像表示装置において、表示された表示情報を見た第三者は、頭部装着型表示装置の利用者が何を見ているかを察することができる。この結果、頭部装着型表示装置の利用者が、頭部装着型表示装置を操作するための動作（例えば、ジェスチャーや発声等）を行ったとしても、第三者の目に不自然に映りづらい。すなわち、第三者の目から見た際の、頭部装着型表示装置の操作のための動作の不自然さを軽減することができる。さらに、サーバー３００の送信部３１８が画像表示装置に送信し、表示させる表示情報は、加工された表示情報である。このため、例えば表示情報における情報の詳細さ、明確さ等を低減させるような加工を施すことによって、送信部は、そのままの表示情報を画像表示装置に送信し、表示させる場合と比較して、表示情報を第三者に開示することに伴うセキュリティーを向上させることができる。
【００９６】
さらに、第３のバリエーションによれば、ＨＭＤ１００に代わってサーバー３００が主体となって共有処理を実行することができるため、ＨＭＤ１００における処理負荷を低減することができる。
【００９７】
さらに、第３のバリエーションによれば、サーバー３００の送信部３１８は、ＨＭＤ１００の現在位置情報（第１の現在位置情報）と、ＨＭＤ１００ｘの現在位置情報（第２の現在位置情報）とを用いて、自動的に、画像表示装置（ＨＭＤ１００ｘ）の所定範囲内に存在する頭部装着型表示装置（ＨＭＤ１００）における表示情報、換言すれば、画像表示装置の近傍に存在する頭部装着型表示装置における表示情報を、画像表示装置に表示させることができる。
【００９８】
Ｂ．第２実施形態：
Ｂ−１．画像表示システムの構成：
本発明の第２実施形態では、異なるロケーション（場所）に位置する頭部装着型表示装置と画像表示装置との間で、表示情報を共有する構成について説明する。以下では、第１実施形態の第３のバリエーション（図７〜図９）と異なる構成および動作を有する部分についてのみ説明する。なお、図中において第１実施形態の第３のバリエーションと同様の構成および動作は先に説明した第３のバリエーションと同様の符号を付し、その詳細な説明を省略する。すなわち、以下に説明しない構成および動作は、上述した第３のバリエーションと同じである。
【００９９】
図１０は、第２実施形態の画像表示システムの概略構成を示す説明図である。画像表示システム１ａは、ＨＭＤ１００ａと、サーバー３００ａと、カメラ４００と、プロジェクター５００と、スクリーン５５０と、通信キャリアＢＳ１と、通信キャリアＢＳ２と、を備えている。ＨＭＤ１００ａと、カメラ４００と、通信キャリアＢＳ１とは、第１のロケーションに配置されている。プロジェクター５００と、スクリーン５５０と、通信キャリアＢＳ２とは、第２のロケーションに配置されている。第１のロケーションと、第２のロケーションとは、例えば異なる部屋、異なる建物等、相互に、直接内部の様子が目視できない位置にある。
【０１００】
カメラ４００は、第１のロケーションの全体を撮像することが可能な位置に配置されている。カメラ４００により取得される画像は、物体から放射される可視光から物体の形状を表す画像である。カメラ４００により取得された画像は「場面の画像」として機能する。プロジェクター５００は、通信キャリアＢＳ２を介して受信した画像（画像データー）に基づく像をスクリーン５５０に投射する。プロジェクター５００およびスクリーン５５０は「画像表示装置」として機能する。
【０１０１】
ＨＭＤ１００ａおよびカメラ４００は、通信キャリアＢＳ１を介して無線通信でインターネットＩＮＴに接続されている。プロジェクター５００は、通信キャリアＢＳ２を介して無線通信でインターネットＩＮＴに接続されている。この結果、ＨＭＤ１００ａとサーバー３００ａ、および、プロジェクター５００とサーバー３００ａは、互いにインターネットＩＮＴによって接続される。通信キャリアＢＳ１、２は、送受信アンテナや、無線基地局、交換局を含む。
【０１０２】
Ｂ−２．ＨＭＤ１００ａの構成：
ＨＭＤ１００ａの構成は、第１実施形態の第３のバリエーションとほぼ同様である。ただし、第２実施形態のＨＭＤ１００ａは、共有処理において送信部１４８が送信する記憶要求の内容が、図８に示した第３のバリエーションと相違する。
【０１０３】
Ｂ−３．サーバー３００ａの構成：
サーバー３００ａの構成は、第１実施形態の第３のバリエーションとほぼ同様である。ただし、第２実施形態のサーバー３００ａは、利用者情報３２４に代えて利用者情報３２４ａを備える点と、共有処理における取得部３１４と、加工部３１６と、送信部３１８との処理内容が、図８に示した第３のバリエーションと相違する。
【０１０４】
Ｂ−４．共有処理：
図１１は、第２実施形態における共有処理の手順を示すシーケンス図である。ステップＳ３０２においてカメラ４００は、第１のロケーションの全体を撮像する。ステップＳ３０４においてカメラ４００は、サーバー３００ａに対して記憶要求を送信する。記憶要求には、第１のロケーションを一意に識別するためのロケーション識別情報と、ステップＳ３０２で撮像した場面の画像と、が含まれている。
【０１０５】
ステップＳ３０６においてサーバー３００ａの取得部３１４は、カメラ４００からの記憶要求に含まれる場面の画像等を取得し、記憶部３２０内に一時的に記憶させる。
【０１０６】
ステップＳ３０８においてＨＭＤ１００ａの取得部１４４は、ＧＰＳモジュール１３４により取得された現在位置情報と、９軸センサー６６により取得された向き情報と、を取得する。ステップＳ３１０において取得部１４４は、現在、ＨＭＤ１００ａにおいて虚像として表示されている表示情報（例えば情報ａ１〜ａ３）を取得する。ステップＳ３１２において送信部１４８は、サーバー３００ａに対して記憶要求を送信する。記憶要求には、第１のロケーションを一意に識別するためのロケーション識別情報と、ステップＳ３０８で取得された現在位置情報および向き情報と、ステップＳ３１０で取得された表示情報および表示情報の種類と、が含まれている。
【０１０７】
図１２は、第２実施形態における利用者情報３２４ａの一例を示す図である。図１１のステップＳ３１４においてサーバー３００ａの取得部３１４は、カメラ４００からの記憶要求に含まれる場面の画像等と、ＨＭＤ１００ａからの記憶要求に含まれる表示情報等と、を取得し、利用者情報３２４ａに記憶させる。この結果、利用者情報３２４ａには、カメラ４００とＨＭＤ１００ａとから取得した記憶要求に基づく１つのエントリー（例えば、エントリーＥ０３）が追加される。このように、第２実施形態のサーバー３００ａにおいても、複数のＨＭＤ１００ａから取得した表示情報等を蓄積しておくことができる。
【０１０８】
図１１のステップＳ３１６においてプロジェクター５００は、サーバー３００ａに対して取得要求を送信する。取得要求には、プロジェクター５００が表示情報を共有しようとする頭部装着型表示装置（図１０の例ではＨＭＤ１００ａ）が位置するロケーション（第１のロケーション）を指定するためのロケーション識別情報が含まれている。
【０１０９】
ステップＳ３１８においてサーバー３００ａの送信部３１８は、取得要求で指定されたロケーション識別情報を持つ利用者情報を検索する。具体的には、送信部３１８は、取得要求に含まれるロケーション識別情報をキーとして利用者情報３２４ａ（図１２）を検索する。ステップＳ３２０においてサーバー３００ａの加工部３１６は、ステップＳ３１８で検索されたエントリーに含まれる表示情報を、ステップＳ３１８で検索されたエントリーに含まれる表示情報の種類に応じた加工の方法により加工する。詳細は図５のステップＳ１０６と同様である。
【０１１０】
ステップＳ３２０においてサーバー３００ａの加工部３１６は、さらに、加工後情報を、ステップＳ３１８で検索されたエントリーに含まれる場面の画像と合成する。具体的には、加工部３１６は、以下に沿って、上述した拡張現実感処理の手順ｂ２〜ｂ５を実行することで、合成画像（付加画像データー）を生成することができる。
・加工部３１６は、ステップＳ３１８で検索されたエントリーに含まれる場面の画像を手順ｂ１の「外景画像」として利用する。
・加工部３１６は、手順ｂ２の対象オブジェクトを「ＨＭＤ１００ａの利用者」とする。
・加工部３１６は、手順ｂ３の対象オブジェクトの位置の取得の際、ステップＳ３１８で検索されたエントリーに含まれるＨＭＤ１００ａの現在位置情報および向き情報を併用してもよい。
・加工部３１６は、手順ｂ４の仮想オブジェクトとして「加工後情報」を用いる。
【０１１１】
ステップＳ３２２においてサーバー３００ａの送信部３１８は、合成画像を含む応答をプロジェクター５００へ送信する。ステップＳ３２４、Ｓ３２６においてプロジェクター５００は、受信した合成画像をスクリーン５５０へ投射する。
【０１１２】
以上説明した第２実施形態の共有処理が実行された結果、図１０に示すように、プロジェクター５００の利用者ＵＲ２（第三者）は、ＨＭＤ１００ａの利用者ＵＲ１と、リンゴの仮想オブジェクトＶＯ１がシルエット化された仮想オブジェクトＶＯ２と、が含まれる合成画像をスクリーン５５０に投射された像として視認することができる。この結果、第三者は、例えば異なる部屋、異なる建物等、相互に、直接内部の様子が目視できない位置にあるロケーションにおいても、利用者ＵＲ１が何を見ているかを察することができ、利用者ＵＲ１が何をしようとしているかを察することができる。
【０１１３】
以上のように、第２実施形態の共有処理によれば、サーバー３００ａの送信部３１８は、虚像ＶＩ１として頭部装着型表示装置（ＨＭＤ１００ａ）の利用者ＵＲ１に表示されている情報である表示情報を、情報処理装置（サーバー３００ａ）に接続された画像表示装置（プロジェクター５００およびスクリーン５５０）に送信する。表示情報を受信した画像表示装置において、表示された表示情報を見た第三者ＵＲ２は、頭部装着型表示装置の利用者ＵＲ１が何を見ているかを察することができる。この結果、頭部装着型表示装置の利用者ＵＲ１が、頭部装着型表示装置を操作するための動作（例えば、ジェスチャーや発声等）を行ったとしても、第三者ＵＲ２の目に不自然に映りづらい。すなわち、第三者の目から見た際の、頭部装着型表示装置の操作のための動作の不自然さを軽減することができる。さらに、サーバー３００ａの送信部３１８が画像表示装置に送信し、表示させる表示情報は、加工された表示情報である。このため、例えば表示情報における情報の詳細さ、明確さ等を低減させるような加工を施すことによって、送信部３１８は、そのままの表示情報を画像表示装置に送信し、表示させる場合と比較して、表示情報を第三者に開示することに伴うセキュリティーを向上させることができる。
【０１１４】
さらに、第２実施形態の共有処理によれば、サーバー３００ａの送信部３１８は、頭部装着型表示装置（ＨＭＤ１００ａ）の利用者ＵＲ１を含む場面の画像と合成された表示情報を、画像表示装置（プロジェクター５００およびスクリーン５５０）に送信し、表示させる。このため、表示情報を第三者ＵＲ２に開示するための画像表示装置が、例えばプロジェクターやスマートフォン等である場合において、第三者ＵＲ２は、より直感的に、頭部装着型表示装置の利用者ＵＲ１と、当該利用者が見ている情報と、を結びつけて理解することができる。
【０１１５】
Ｂ−５．共有処理のバリエーション：
第２実施形態の共有処理においても、第１実施形態で説明した第１のバリエーションと、第２のバリエーションとを採用することができる。第１、２のバリエーションは、単独で採用されてもよいし、組み合わせて採用されてもよい。
【０１１６】
Ｃ．第３実施形態：
Ｃ−１．画像表示システムの構成：
本発明の第３実施形態では、画像表示装置間で表示態様の異なる情報を共有する構成について説明する。以下では、第１実施形態の第３のバリエーション（図７〜図９）と異なる構成および動作を有する部分についてのみ説明する。なお、図中において第１実施形態の第３のバリエーションと同様の構成および動作を有するものには先に説明した第３のバリエーションと同様の符号を付し、その詳細な説明を省略する。すなわち、以下に説明しない構成および動作は、上述した第３のバリエーションと同じである。
【０１１７】
第３実施形態の画像表示システムは、ＨＭＤ１００ｘと、サーバー３００ｂと、通信キャリアとを備えている。なお、本実施形態の画像表示システムは、ＨＭＤ１００は備えていない。ＨＭＤ１００ｘとサーバー３００ｂとは、通信キャリアを介してインターネットに接続されている。この結果、ＨＭＤ１００ｘとサーバー３００ｂとは、互いにインターネットによって接続される。通信キャリアは、送受信アンテナ、無線通信局、交換局を含む。
【０１１８】
Ｃ−２．ＨＭＤ１００ｘの構成：
ＨＭＤ１００ｘの構成は、第１実施形態の第３のバリエーションとほぼ同様である。ただし、第３実施形態のＨＭＤ１００ｘは、共有処理における受信側拡張現実感処理部１４２の処理内容が、図８に示した第３のバリエーションと相違する。
【０１１９】
Ｃ−３．サーバー３００ｂの構成：
図１３は、サーバー３００ｂの構成を機能的に示すブロック図である。図７に示した第３のバリエーションと相違する点は、取得部３１４と、加工部３１６と、送信部３１８とに代えて、制御部３１９を備える点と、加工情報３２２と、利用者情報３２４とに代えて、配信用情報３２６を備える点、である。制御部３１９は、共有処理において、ＨＭＤ１００ｘに表示させるための情報を配信する。
【０１２０】
図１４は、配信用情報３２６の一例を示す図である。配信用情報３２６は、共有処理において、サーバー３００ｂが情報を配信するために用いられる情報である。配信用情報３２６には、配信条件と、位置情報と、向き情報と、配信情報と、情報の種類と、実オブジェクト条件と、が関連付けて記憶されている。
【０１２１】
「配信条件」は、サーバー３００ｂが情報を配信すべきＨＭＤ１００ｘの利用者についての情報、または、ＨＭＤ１００ｘそのものについての情報を用いた条件である。配信条件には、例えば、利用者についての情報を用いた条件として、性別、年齢、役職、嗜好等が格納され得る。また、配信条件には、例えば、利用者が使用しているＨＭＤ１００ｘについての情報を用いた条件として、ＨＭＤ１００ｘの表示性能（例えば、アスペクト比、解像度、γ特性等）ＨＭＤ１００ｘの機種、型番、性能、インストールされているアプリケーション、ＯＳのバージョンを特定するための情報等が格納され得る。「位置情報」は、サーバー３００ｂが情報を配信すべきＨＭＤ１００ｘの現在位置情報である。位置情報には、例えば、対象となる現在位置情報が範囲で指定され得る。「向き情報」は、サーバー３００ｂが情報を配信すべきＨＭＤ１００ｘの向き情報である。向き情報には、例えば、対象となる向き情報が範囲で指定され得る。「配信情報」は、サーバー３００ｂがＨＭＤ１００ｘに配信する情報である。配信情報には、各種形式（静止画像、動画像、テキスト、仮想オブジェクト、音声、その他）の情報が格納され得る。「情報の種類」は、配信情報の種類である。「実オブジェクト条件」は、配信情報（仮想オブジェクト）を重畳させる対象となる特定の実オブジェクトである。
【０１２２】
サーバー３００ｂは、配信条件と位置情報と向き情報とをキーとして、ＨＭＤ１００ｘに配信すべき配信情報を検索する。なお、位置情報と向き情報とはＮＵＬＬ値でもよい。ＮＵＬＬ値である場合、後述の共有処理において、全ての位置、向きが配信情報の送信対象となる。また、実オブジェクト条件はＮＵＬＬ値でもよい。ＮＵＬＬ値である場合、ＨＭＤ１００ｘの受信側拡張現実感処理部１４２は、デフォルト位置（例えば中央等）に配信情報を表示させる。詳細は後述する。図１４の例では、ＨＭＤ１００ｘの利用者の性別が男性であり、かつ、特定の現在位置、特定の向きである場合、エントリーＥ０１に格納されている配信情報が配信されることがわかる。同様に、ＨＭＤ１００ｘの利用者の性別が女性であり、かつ、特定の現在位置、特定の向きである場合、エントリーＥ０２に格納されている配信情報が配信されることがわかる。なお、配信条件には、複数の条件（例えば、男性かつ３０代等）が格納されてもよい。
【０１２３】
Ｃ−４．共有処理：
図１５は、第３実施形態における共有処理の手順を示すシーケンス図である。ステップＳ４０２においてサーバー３００ｂの制御部３１９は、予め定められている特定の通信キャリアから、性別の情報取得要求をブロードキャスト送信する。すると、特定の通信キャリアからの電波を受信できる範囲内に位置するＨＭＤ１００ｘは、サーバー３００ｂからの性別の情報取得要求を受信することができる。情報取得要求を受信したＨＭＤ１００ｘの受信側取得部１４４は、ステップＳ４０３において、記憶部１２０に記憶されている利用者の情報を検索し、利用者の性別を取得する。ステップＳ４０４において受信側取得部１４４は、利用者の性別を含む応答をサーバー３００ｂへ送信する。
【０１２４】
このように、特定の通信キャリアから情報取得要求をブロードキャスト送信することで、サーバー３００ｂは、特定の場所（すなわち、特定の通信キャリアからの通信可能範囲内、無線通信であれば電波到達範囲内）に位置するＨＭＤ１００ｘとの間に限って、以降のシーケンスを開始することができる。また、ブロードキャスト送信を利用すれば、サーバー３００ｂは、ＨＭＤ１００ｘの宛先、すなわち、ネットワークアドレスを知らなくてもよい。
【０１２５】
複数の条件を取得したい場合、サーバー３００ｂの制御部３１９は、ステップＳ４０２〜Ｓ４０４を複数回繰り返せばよい。例えば、性別と年齢を取得したい場合、制御部３１９は、ステップＳ４０４のＨＭＤ１００ｘの応答（性別）を得た後に、当該ＨＭＤ１００ｘに対して年齢の情報取得要求を再び送信（ステップＳ４０２）すればよい。２度目以降の情報取得要求の送信は、ブロードキャストでもよく、応答があったＨＭＤ１００ｘに対するユニキャストでもよい。また、ＨＭＤ１００ｘは、サーバー３００ｂから受信した情報取得要求のうちの一部または全部について、応答を拒否してもよい。ＨＭＤ１００ｘが応答する情報取得要求と拒否する情報取得要求との設定（例えば、性別、年齢については応答し、嗜好については応答しない等）は、利用者によって予め設定され、記憶部１２０に記憶されていてもよい。
【０１２６】
ステップＳ４０６においてサーバー３００ｂの制御部３１９は、応答があったＨＭＤ１００ｘに対して、位置情報取得要求をユニキャスト送信する。位置情報取得要求を受信したＨＭＤ１００ｘの受信側取得部１４４は、ステップＳ４０８において、ＧＰＳモジュール１３４により取得された現在位置情報と、９軸センサー６６により取得された向き情報と、を取得する。ステップＳ４１０において受信側取得部１４４は、現在位置情報と向き情報とを含む応答をサーバー３００ｂへ送信する。
【０１２７】
ステップＳ４１２においてサーバー３００ｂの制御部３１９は、配信用情報３２６から配信情報を取得する。具体的には、制御部３１９は、ステップＳ４０４およびＳ４１０で取得した条件と、現在位置情報と、向き情報とをキーとして配信用情報３２６を検索し、一致するエントリーの配信情報と、配信情報を重畳させる対象となる実オブジェクト条件と、を取得する。なお、制御部３１９は、ステップＳ４０２〜Ｓ４０４を繰り返して複数の条件を取得した場合、当該複数の条件の各々に一致する、複数の配信情報と実オブジェクト条件との組を全て取得する。ステップＳ４１４において制御部３１９は、ステップＳ４１２で取得した全ての配信情報と実オブジェクト条件との組を、ＨＭＤ１００ｘへ送信する。
【０１２８】
配信情報を受信した後、ＨＭＤ１００ｘでは、図５のステップＳ１１０〜Ｓ１１８で説明した処理と同様の処理が実行される。この際、以下の読み替えを実施する。
・受信側拡張現実感処理部１４２は、手順ｂ２の対象オブジェクトを、「ステップＳ４１４で取得した実オブジェクト条件に基づく実オブジェクト」とする。
・受信側拡張現実感処理部１４２は、手順ｂ４の仮想オブジェクトとして「ステップＳ４１４で取得した配信情報」を用いる。
【０１２９】
図１６は、第３実施形態の共有処理が実行された結果を表す図である。この例では、配信条件を性別とし、位置情報を看板８００から所定範囲内とし、向き情報を看板８００の方向とし、実オブジェクト条件を看板８００とする。ＨＭＤ１００ｘａにおいて共有処理および拡張現実感処理が実行された結果、ＨＭＤ１００ｘａの利用者ＵＲ１（男性）は、視野ＶＩ１において、特定の実オブジェクトである看板８００に重畳された、右方向を向いた矢印の仮想オブジェクトＶＯ１を表す虚像ＶＩ１を視認することができる。一方、ＨＭＤ１００ｘｂにおいて共有処理および拡張現実感処理が実行された結果、ＨＭＤ１００ｘｂの利用者ＵＲ２（女性）は、視野ＶＲ２において、特定の実オブジェクトである看板８００に重畳された、左方向を向いた矢印の仮想オブジェクトＶＯ２を表す虚像ＶＩ２を視認することができる。
【０１３０】
図１７は、第３実施形態の共有処理が実行された他の結果を表す図である。この例では、配信条件を性別とし、位置情報を車内とし、向き情報を前方（利用者が乗っている乗り物の進行方向）とし、実オブジェクト条件はＮＵＬＬ値とする。ＨＭＤ１００ｘａにおいて共有処理および拡張現実感処理が実行された結果、ＨＭＤ１００ｘａの利用者ＵＲ１（男性）は、視野ＶＩ１において、デフォルト位置（例えば中央）に配置された女性ガイドの仮想オブジェクトＶＯ１を表す虚像ＶＩ１を視認することができる。一方、ＨＭＤ１００ｘｂにおいて共有処理および拡張現実感処理が実行された結果、ＨＭＤ１００ｘｂの利用者ＵＲ２（女性）は、デフォルト位置に配置された男性ガイドの仮想オブジェクトＶＯ２を表す虚像ＶＩ２を視認することができる。
【０１３１】
以上のように、第３実施形態の共有処理によれば、制御部３１９は、記憶部３２０の配信用情報３２６に予め用意された配信情報を用いて、画像表示装置（ＨＭＤ１００ｘ）についての情報と、画像表示装置の利用者についての情報と、のうちの少なくともいずれか一方に応じた配信情報を画像表示装置へ送信する。例えば、配信条件として画像表示装置の表示性能を採用すれば、制御部３１９は、画像表示装置の表示性能に適した大きさ、縦横比、透過率、色味等を持つ配信情報を配信用情報３２６から選択して、画像表示装置へ送信することができる。配信情報を受信した画像表示装置において配信情報が表示されることにより、画像表示装置の利用者は、画像表示装置そのものについての情報、または、自身についての情報に応じた個別の配信情報を視認することができる。すなわち、各画像表示装置の利用者は、同じ場所で同じ外景を見ていても、それぞれ異なる配信情報を視認することができる。この結果、本形態の情報処理装置（サーバー３００ｂ）によれば、利用者または情報処理装置を利用した情報提供者における利便性を向上させることができる。
【０１３２】
また、上記実施形態の共有処理（ステップＳ４０２）によれば、制御部３１９は、特定の通信キャリアから情報取得要求をブロードキャスト送信するため、特定の場所（すなわち、特定の通信キャリアからの通信可能範囲内）に位置する画像表示装置（ＨＭＤ１００ｘ）との間に限って、配信情報の送信を実施することができる。さらに、制御部３１９は、情報取得要求の送信と、情報取得要求に対する応答の受信と、を繰り返すことによって、画像表示装置についての情報と、画像表示装置の利用者についての情報とを、逐次的に取得することができる。このため、制御部３１９は、これらの情報を一度に取得する場合と比較して、通信内容が漏洩した場合における情報漏洩のリスクを低減することができる。また、本形態の情報処理装置（サーバー３００ｂ）によれば、情報処理装置と画像表示装置との間においてやり取りされる一回あたりの情報の量を低減することができるため、情報処理装置および画像表示装置にかかる処理負荷を低減することができる。
【０１３３】
Ｄ．第４実施形態：
Ｄ−１．画像表示システムの構成：
本発明の第４実施形態では、第３実施形態と同様に画像表示装置間で表示態様の異なる情報を共有しつつ、かつ、セキュリティーレベルに応じて表示態様を変更する構成について説明する。以下では、第３実施形態（図１３〜図１７）と異なる構成および動作を有する部分についてのみ説明する。なお、図中において第３実施形態と同様の構成および動作を有するものには先に説明した第３実施形態と同様の符号を付し、その詳細な説明を省略する。すなわち、以下に説明しない構成および動作は、上述した第３実施形態と同じである。第４実施形態の画像表示システムは、サーバー３００ｂに代えてサーバー３００ｃを備える点のみ、第３実施形態と相違する。
【０１３４】
Ｄ−２．ＨＭＤ１００ｘの構成：
ＨＭＤ１００ｘの構成は、第３実施形態とほぼ同様である。ただし、第４実施形態のＨＭＤ１００ｘは、共有処理における受信側拡張現実感処理部１４２の処理内容が、図１５に示した第３実施形態と相違する。
【０１３５】
Ｄ−３．サーバー３００ｃの構成：
サーバー３００ｃの構成は、図１３に示した第３実施形態とほぼ同様である。ただし、サーバー３００ｃは、共有処理における制御部３１９の処理内容が一部相違する。また、サーバー３００ｃの記憶部３００には、第３実施形態（図１４）と同様の配信用情報３２６が含まれ、この配信用情報３２６には必ず、配信条件をユーザー識別情報（ＨＭＤ１００ｘの利用者を一意に識別するための情報）としたエントリーが記憶されている。サーバー３００ｃには、さらに、加工情報３２２ｃとレベル情報３２８とが含まれている。
【０１３６】
図１８は、加工情報３２２ｃの一例を示す図である。加工情報３２２ｃは、第４実施形態の共有処理において、ＨＭＤ１００ｘの利用者に配信するための配信情報を加工する際に使用される情報である。加工情報３２２ｃには、セキュリティーレベルと、情報の種類と、加工の方法と、が関連付けて記憶されている。「セキュリティーレベル」は、加工された配信情報のセキュリティーレベルを指定するための数値、文字列等である。図１８の例では、数値が大きいほど加工後の配信情報における情報の詳細さ、明確さ等が低減される。「情報の種類」は、配信情報の種類を表す。「加工の方法」は、共有処理における配信情報の加工のための方法を表す。図１８の例では、共有処理で実施される加工は、静止画像かつセキュリティーレベル「１」の場合に加工なし、静止画像かつセキュリティーレベル「２」の場合にシルエット化する加工、静止画像かつセキュリティーレベル「３」の場合に透明化する（すなわち表示されないようにする）加工、となることがわかる。このように加工情報３２２ｃには、情報の種類とセキュリティーレベルとの組み合わせごとにそれぞれ加工の方法が予め記憶されている。
【０１３７】
図１９は、レベル情報３２８の一例を示す図である。レベル情報３２８は、第４実施形態の共有処理において、ＨＭＤ１００ｘの利用者毎に、使用されるセキュリティーレベルを判定する際に使用される情報である。レベル情報３２８には、ユーザー識別情報と、使用セキュリティーレベルと、が関連付けて記憶されている。「ユーザー識別情報」は、ＨＭＤ１００ｘの利用者を一意に識別するための情報である。図１９の例では、ユーザー識別情報「ＡＡＡ」の利用者に対してはセキュリティーレベル「１」が使用され、ユーザー識別情報「ＢＢＢ」の利用者に対してはセキュリティーレベル「２」が使用され、上記以外（すなわち、レベル情報３２８のユーザー識別情報に登録のない識別情報）の利用者に対してはセキュリティーレベル「３」が使用されることがわかる。
【０１３８】
Ｄ−４．共有処理：
図２０は、第４実施形態における共有処理の手順を示すシーケンス図である。図１５に示した第３実施形態との違いは、ステップＳ４０２〜Ｓ４０４に代えてステップＳ５０２〜Ｓ５０４を備える点と、ステップＳ４１２およびＳ４１４に代えてステップＳ５１０〜Ｓ５１６を備える点である。
【０１３９】
ステップＳ５０２においてサーバー３００ｃの制御部３１９は、予め定められている特定の通信キャリアから、識別情報取得要求をブロードキャスト送信する。この識別情報取得要求には「応答を拒否することができない旨」を表す情報（例えば、コマンド、フラグ等）が含まれている。すると、特定の通信キャリアからの電波を受信できる範囲内に位置するＨＭＤ１００ｘは、サーバー３００ｃからの識別情報取得要求を受信する。識別情報取得要求を受信したＨＭＤ１００ｘの受信側取得部１４４は、ステップＳ５０３において、記憶部１２０に記憶されている利用者の情報を検索し、利用者を一意に識別するための情報（識別情報）を取得する。ステップＳ５０４において受信側取得部１４４は、識別情報を含む応答をサーバー３００ｃへ送信する。
【０１４０】
このように第４実施形態においても、第３実施形態と同様に、特定の通信キャリアから識別情報取得要求をブロードキャスト送信することで、サーバー３００ｃは、特定の場所（すなわち、特定の通信キャリアからの電波到達範囲内）に位置するＨＭＤ１００ｘとの間に限って、以降のシーケンスを開始することができる。なお、ステップＳ５０４終了後、サーバー３００ｃは、第３実施形態（図１５）で説明したステップＳ４０２〜Ｓ４０４を実行して、他の条件を取得してもよい。
【０１４１】
ステップＳ５１０においてサーバー３００ｃの制御部３１９は、配信用情報３２６から配信情報を取得する。具体的には、制御部３１９は、ステップＳ４１０で取得した現在位置情報と、向き情報とをキーとして配信用情報３２６を検索し、一致するエントリーの配信情報と、配信情報を重畳させる対象となる実オブジェクト条件と、を取得する。すなわち、本実施形態の制御部３１９は、利用者の識別情報にかかわらず、現在位置情報と、向き情報とが一致する配信情報を取得する。なお、制御部３１９は、ステップＳ４０４で他の条件を取得している場合、当該他の条件と、現在位置情報と、向き情報とをキーとして配信用情報３２６をさらに検索し、一致するエントリーの配信情報と実オブジェクト条件とを取得する。
【０１４２】
ステップＳ５１２においてサーバー３００ｃの制御部３１９は、ＨＭＤ１００ｘの利用者に対応するセキュリティーレベルを取得する。具体的には、制御部３１９は、ステップＳ５０４で取得した識別情報をキーとしてレベル情報３２８を検索し、一致するセキュリティーレベルを取得する。ステップＳ５１４において制御部３１９は、ＨＭＤ１００ｘの利用者に対応するセキュリティーレベルに応じて、ステップＳ５１０で取得した配信情報を加工する。加工の方法の詳細は、第１実施形態と同様である。ステップＳ５１６において制御部３１９は、加工後の配信情報と、実オブジェクト条件との組をＨＭＤ１００ｘへ送信する。
【０１４３】
配信情報を受信した後、ＨＭＤ１００ｘでは、図５のステップＳ１１０〜Ｓ１１８で説明した処理と同様の処理が実行される。この際、以下の読み替えを実施する。
・受信側拡張現実感処理部１４２は、手順ｂ２の対象オブジェクトを、「ステップＳ５１６で取得した実オブジェクト条件に基づく実オブジェクト」とする。
・受信側拡張現実感処理部１４２は、手順ｂ４の仮想オブジェクトとして「ステップＳ５１６で取得した加工後の配信情報」を用いる。
【０１４４】
図２１は、第４実施形態の共有処理が実行された結果を表す図である。この例では、位置情報をドア８０２から所定範囲内とし、向き情報をドア８０２の方向とし、実オブジェクト条件をドア８０２の所定位置（ノブの情報）とする。ＨＭＤ１００ｘａにおいて共有処理および拡張現実感処理が実行された結果、識別情報「ＡＡＡ」を持つ利用者ＵＲ１は、視野ＶＲ１において、ドア８０２の所定位置に重畳された、開錠操作パネルの仮想オブジェクトＶＯ１を表す虚像ＶＩ１を視認することができる。一方、ＨＭＤ１００ｘｂにおいて共有処理および拡張現実感処理が実行された結果、識別情報「ＢＢＢ」を持つ利用者ＵＲ２は、視野ＶＲ２において、ドア８０２の所定位置に重畳された、パネルのシルエットの仮想オブジェクトＶＯ２を表す虚像ＶＩ２を視認することができる。このように、仮想オブジェクトＶＯ２は、パネルのシルエットのみを表し、開錠操作パネルに含まれているボタンの位置、内容等は現れていない。
【０１４５】
なお、例えば図２１に示した場面においてさらに、識別情報「ＣＣＣ」を持つ利用者が居た場合、当該利用者には、透明なパネルの仮想オブジェクトを表す虚像を視認する。換言すれば、識別情報ＣＣＣを持つ利用者には、パネルの存在自体がわからない（透明であるため）。これは、レベル情報３２８（図１９）において識別情報「ＣＣＣ」（上記以外に該当）の使用セキュリティーレベルが「３」とされており、加工情報３２２ｃ（図１８）においてセキュリティーレベル「３」の加工の方法が「透明」とされているためである。このように、本実施形態では、加工情報３２２ｃの「加工の方法」を適宜変更することによって、セキュリティーレベルに応じて表示態様を自在に変更することができる。例えば、シルエット化、透明化以外にも、透過度の変更、色調の変更、偽造（例えば、開錠操作パネル内のボタンの位置をランダムに並び替えた偽のパネルとする）等を採用することができる。
【０１４６】
以上のように、第４実施形態の共有処理によれば、上記第３実施形態と同様の効果を得ることができる。また、上記実施形態の共有処理によれば、制御部３１９は、画像表示装置（ＨＭＤ１００ｘ）についての情報と、画像表示装置の利用者についての情報と、のうちの少なくともいずれか一方の情報に応じて配信情報を加工し、加工後の配信情報を「少なくともいずれか一方の情報に応じた配信情報」として画像表示装置に送信する。このため、例えば、記憶部３２０の配信用情報３２６に予め用意された１つの配信情報から少なくともいずれか一方の情報に応じた複数の配信情報を作成することができるため、記憶部３２０における配信情報の記憶容量を低減することができる。
【０１４７】
Ｅ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１４８】
・変形例１:
上記実施形態では、画像表示システムの構成について例示した。しかし、画像表示システムの構成は、本発明の要旨を逸脱しない範囲において任意に定めることが可能であり、例えば、構成要素の追加・削除・変換等を行うことができる。
【０１４９】
例えば、画像表示システム内における機能部の配置は、任意に変更可能である。例えば、第１実施形態において、頭部装着型表示装置（ＨＭＤ１００）が備えると説明した機能部（取得部、加工部、送信部）のうちの少なくとも一部または全部は、画像表示装置（ＨＭＤ１００ｘ）に備えられていてもよい。同様に、第２実施形態において情報処理装置（サーバー３００ａ）が備えると説明した機能部（取得部、加工部、送信部）のうちの少なくとも一部または全部は、頭部装着型表示装置（ＨＭＤ１００ａ）または画像表示装置（プロジェクター５００）に備えられていてもよい。例えば加工部が画像表示装置に備えられている場合、第１のバリエーションは次のようになる。頭部装着型表示装置は、表示情報と、権限毎に定められた加工の方法と、権限毎に定められた認証の条件とを、全て画像表示装置に送信する。画像表示装置において、受信した認証の条件に基づいて自身を認証し、認証に成功した権限に対応する加工の方法を用いて、受信した表示情報を加工し、表示させればよい。
【０１５０】
例えば、画像表示装置の一例として、第１実施形態では頭部装着型表示装置（ＨＭＤ１００ｘ）を例示し、第２実施形態ではプロジェクターを例示した。しかし、第１実施形態の構成において画像表示装置としてプロジェクターを使用してもよく、第２実施形態の構成において画像表示装置として頭部装着型表示装置を使用してもよい。また、画像表示装置としては、頭部装着型表示装置やプロジェクターに限らず、画像を表示することができる装置である限りにおいて、種々の装置を使用することができる。画像表示装置としては、例えば、パーソナルコンピューター、スマートフォン、テレビ、ディスプレイ装置等を使用してよい。
【０１５１】
例えば、画像表示システムに含まれる各装置間の接続方法は、どのような方法でもよい。具体的には、例えば、第１実施形態のＨＭＤ１００とＨＭＤ１００ｘとは、Ｐ２Ｐ接続されていてもよい。また、画像表示システムに含まれる各装置間の通信方法は、どのような方法でもよい。具体的には、例えば、第１実施形態のＨＭＤ１００とＨＭＤ１００ｘとは、ＴＣＰ（Transmission Control Protocol）を利用した通信ではなく、ＵＤＰ（User Datagram Protocol）を利用した通信をしてもよい。
【０１５２】
例えば、上記実施形態で説明した画像表示システムにおいて、各装置間に、上記実施形態で説明した装置以外の装置（以降、「介在装置」とも呼ぶ。）が介在していてもよい。この場合、例えば、介在装置が頭部装着型表示装置（または情報処理装置）から送信された情報を一旦蓄積し、介在装置が画像表示装置へ蓄積している情報を送信してもよい。同様に、介在装置が画像表示装置から送信された情報を一旦蓄積し、介在装置が頭部装着型表示装置（または情報処理装置）へ蓄積している情報を送信してもよい。介在装置としては、例えば、ＮＡＳ（Network Attached Storage）、情報処理装置、パーソナルコンピューター等を利用できる。
【０１５３】
・変形例２：
上記実施形態では、ＨＭＤの構成について例示した。しかし、ＨＭＤの構成は、本発明の要旨を逸脱しない範囲において任意に定めることが可能であり、例えば、各構成部の追加・削除・変換等を行うことができる。
【０１５４】
上記実施形態における制御部と画像表示部とに対する構成要素の割り振りは、あくまで一例であり、種々の態様を採用可能である。例えば、以下のような態様としてもよい。
（i）制御部にＣＰＵやメモリー等の処理機能を搭載し、画像表示部には表示機能のみを搭載する態様
（ｉｉ）制御部と画像表示部との両方にＣＰＵやメモリー等の処理機能を搭載する態様
（ｉｉｉ）制御部と画像表示部とを一体化した態様（例えば、画像表示部に制御部が含まれ眼鏡型のウェアラブルコンピューターとして機能する態様）
（ｉｖ）制御部の代わりにスマートフォンや携帯型ゲーム機を使用する態様
（ｖ）制御部と画像表示部とを無線ＬＡＮや赤外線通信やＢｌｕｅｔｏｏｔｈ等の無線の信号伝送路を介した接続により接続し、接続部（コード）を廃した態様。なお、この場合において、制御部または画像表示部に対する給電をワイヤレスにより実施してもよい。
【０１５５】
例えば、上記実施形態で例示した制御部の構成は任意に変更することができる。具体的には、例えば、制御部の送信部（Ｔｘ）および画像表示部の受信部（Ｒｘ）は、いずれも、双方向通信が可能な機能を備えており送受信部として機能してもよい。例えば、制御部が備えるとした操作用インターフェイス（各種キーやトラックパッド等）の一部を省略してもよい。例えば、制御部に操作用スティック等の他の操作用インターフェイスを備えてもよい。例えば、制御部にはキーボードやマウス等のデバイスを接続可能な構成として、キーボードやマウスから入力を受け付けるものとしてもよい。例えば、制御部が備えるとした各処理部（例えば画像処理部、表示制御部、拡張現実感処理部等）は、当該機能を実現するために設計されたＡＳＩＣ（Application Specific Integrated Circuit：特定用途向け集積回路）を用いて構成されてもよい。例えば、制御部には、電源として二次電池が搭載されることとしたが、電源としては二次電池に限らず、種々の電池を使用することができる。例えば、一次電池や、燃料電池、太陽電池、熱電池等を使用してもよい。
【０１５６】
例えば、上記実施形態で例示した画像表示部の構成は任意に変更することができる。具体的には、例えば、画像表示部の画像光生成部は、上述した構成部（バックライト、バックライト制御部、ＬＣＤ、ＬＣＤ制御部）と共に、または、上述した構成部に代えて、他の方式を実現するための構成部を備えていても良い。例えば、画像光生成部は、有機ＥＬ（有機エレクトロルミネッセンス、Organic Electro-Luminescence）のディスプレイと、有機ＥＬ制御部とを備えていてもよい。例えば、画像生成部は、ＬＣＤに代えてデジタル・マイクロミラー・デバイス等を備えていてもよい。例えば、レーザー網膜投影型の頭部装着型表示装置に対して本発明を適用することも可能である。
【０１５７】
図２２は、変形例におけるＨＭＤの外観の構成を示す説明図である。図２２（Ａ）の画像表示部２０ｘは、右光学像表示部２６ｘおよび左光学像表示部２８ｘを備えている。これらは上記実施形態の光学部材よりも小さく形成され、ＨＭＤの装着時における利用者の左右の眼の斜め上にそれぞれ配置されている。図２２（Ｂ）の画像表示部２０ｙは、右光学像表示部２６ｙおよび左光学像表示部２８ｙを備えている。これらは上記実施形態の光学部材よりも小さく形成され、ＨＭＤの装着時における利用者の左右の眼の斜め下にそれぞれ配置されている。このように、光学像表示部は利用者の眼の近傍に配置されていれば足りる。光学像表示部を形成する光学部材の大きさは任意であり、光学像表示部が利用者の眼の一部分のみを覆う態様、換言すれば、光学像表示部が利用者の眼を完全に覆わない態様でもよい。
【０１５８】
例えば、ＨＭＤは、両眼タイプの透過型ＨＭＤであるものとしたが、単眼タイプのＨＭＤとしてもよい。例えば、利用者がＨＭＤを装着した状態において外景の透過が遮断される非透過型ＨＭＤとして構成してもよいし、非透過型ＨＭＤにカメラを搭載したビデオシースルーとして構成してもよい。例えば、イヤホンは耳掛け型やヘッドバンド型を採用してもよく、省略しても良い。例えば、眼鏡のように装着する画像表示部に代えて、通常の平面型ディスプレイ装置（液晶ディスプレイ装置、プラズマディスプレイ装置、有機ＥＬディスプレイ装置等）を採用してもよい。この場合も、制御部と画像表示部との間の接続は、有線、無線どちらでもよい。このようにすれば、制御部を、通常の平面型ディスプレイ装置のリモコンとして利用することができる。例えば、眼鏡のように装着する画像表示部に代えて、例えば帽子のように装着する画像表示部や、ヘルメット等の身体防護具に内蔵された画像表示部といった、他の態様の画像表示部を採用してもよい。例えば、自動車や飛行機等の車両、またはその他の交通手段に搭載されるヘッドアップディスプレイ（ＨＵＤ、Head-Up Display）として構成されてもよい。
【０１５９】
例えば、ＨＭＤが備える視線検出部は、赤外線受発光部以外の方法によって、視線を検出してもよい。具体的には例えば、眼電位と、ジャイロセンサーによる検出値と、のうちの少なくとも一方を利用して、ＨＭＤの利用者の視線の方向を検出することができる。
【０１６０】
・変形例３：
上記実施形態では、共有処理の一例を示した。しかし、上記実施形態において示した処理の手順はあくまで一例であり、種々の変形が可能である。例えば、一部のステップを省略してもよいし、更なる他のステップを追加してもよい。実行されるステップの順序を変更してもよい。
【０１６１】
例えば、図５および図１１に示した共有処理においては、現在位置情報および向き情報の取得および送信を省略してもよい。同様に、図８に示した共有処理においては、向き情報の取得および送信を省略してもよい。そうすれば、共有処理の内容を単純化することができる。
【０１６２】
例えば、図５に示した共有処理においては、頭部装着型表示装置から画像表示装置に対して、加工前の表示情報を送信してもよい。この場合、画像表示装置において、表示情報の加工および表示を行えばよい。さらにこの場合、画像表示装置における表示情報の加工を省略し、画像表示装置において、頭部装着型表示装置と同じ表示情報（加工しない表示情報）を表示してもよい。また、図８および図１１に示した共有処理においては、頭部装着型表示装置から情報処理装置に対して、加工後の表示情報を送信してもよい。この場合、情報処理装置における表示情報の加工は不要となる。このようにすれば、加工前の表示情報がネットワーク上を送信されることに伴う、情報漏えいの危険性を低下させることができる。また、図８および図１１に示した共有処理において、情報処理装置における表示情報の加工を省略し、画像表示装置において、頭部装着型表示装置と同じ表示情報（加工しない表示情報）を表示してもよい。
【０１６３】
例えば、図５に示した共有処理において、頭部装着型表示装置の送信部は、以下に示す所定の条件のうちの少なくとも１つが満たされている場合に限って表示情報を送信してもよい。同様に、画像表示装置の受信側取得部は、以下に示す所定の条件のうちの少なくとも１つが満たされている場合に限って表示情報（加工後情報等）を取得してもよい。
・画像表示装置が、頭部装着型表示装置の利用者の視野内に存在する場合。これは、例えば外景画像の画像認識により実現可能である。
・画像表示装置と、頭部装着型表示装置との間の距離が所定の距離以内である場合。所定の距離は任意に定めてよく、利用者による設定、変更が可能でもよい。
・画像表示装置（またはその利用者）が所定の権限を有する場合。所定の権限を有するか否かは、画像表示装置の識別情報、利用者の識別情報、予め定められたパスワード等を利用した認証により確認できる。
・画像表示装置が所定の性能を有する場合。所定の性能は任意に定めてよく、利用者による設定、変更が可能でもよい。
・頭部装着型表示装置が所定の性能を有する場合。所定の性能は任意に定めてよく、利用者による設定、変更が可能でもよい。
このようにすれば、所定の条件を満足する場合に限って表示情報の送受信が実行されるため、頭部装着型表示装置および画像表示装置における処理負荷を低減することができる。
【０１６４】
・変形例４：
上記実施形態では、加工情報と、利用者情報と、配信用情報と、レベル情報と、の一例を示した。しかし、上記実施形態において示した各情報の構成および内容はあくまで一例であり、種々の変形が可能である。例えば、一部の構成を省略してもよいし、更なる他の構成を追加してもよい。案内用情報に格納されているデーターを変更してもよい。
【０１６５】
例えば、上述した加工情報における加工の方法はあくまで一例であり、種々の方法を利用した加工が実現可能である。具体的には、例えば、表示情報の種類が音声である場合、代替音声への置換に代えて特定の画像（例えば音符記号を表す画像）を表示させてもよい。このように、加工の方法には、表示情報の種類を代えることも含まれる。
【０１６６】
・変形例５：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１６７】
１０…制御部、１１…決定キー、１２…点灯部、１３…表示切替キー、１４…トラックパッド、１５…輝度切替キー、１６…方向キー、１７…メニューキー、１８…電源スイッチ、２０…画像表示部、２１…右保持部、２２…右表示駆動部、２３…左保持部、２４…左表示駆動部、２６…右光学像表示部、２８…左光学像表示部、３０…イヤホンプラグ、３２…右イヤホン、３４…左イヤホン、４０…接続部、４２…右コード、４４…左コード、４６…連結部材、４８…本体コード、５１…送信部、５３…受信部、６１…カメラ、６２…視線検出部、６３…マイク、６６…９軸センサー、１００…ヘッドマウントディスプレイ（頭部装着型表示装置）、１００ｘ…ヘッドマウントディスプレイ（画像表示装置、他の頭部装着型表示装置、頭部装着型表示装置）、１１０…入力情報取得部、１２０…記憶部、１２２…加工情報、１３０…電源、１３２…無線通信部、１３４…ＧＰＳモジュール、１４０…ＣＰＵ、１４２…拡張現実感処理部、１４４…取得部、１４６…加工部、１４８…送信部、１５０…ＯＳ、１６０…画像処理部、１７０…音声処理部、１８０…インターフェイス、１９０…表示制御部、２０１…右バックライト制御部、２０２…左バックライト制御部、２１１…右ＬＣＤ制御部、２１２…左ＬＣＤ制御部、２２１…右バックライト、２２２…左バックライト、２４１…右ＬＣＤ、２４２…左ＬＣＤ、２５１…右投写光学系、２５２…左投写光学系、２６１…右導光板、２６２…左導光板、３００、３００ａ〜ｃ…サーバー（情報処理装置）、３１０…ＣＰＵ、３１４…取得部、３１６…加工部、３１８…送信部、３１９…制御部、３２０…記憶部、３２２…加工情報、３２４…利用者情報、３２６…配信用情報、３２８…レベル情報、３３０…ＲＯＭ、３４０…ＲＡＭ、３５０…通信インターフェイス、４００…カメラ、５００…プロジェクター（画像表示装置）、５５０…スクリーン（画像表示装置）、ＶＳｙｎｃ…垂直同期信号、ＨＳｙｎｃ…水平同期信号、Ｄａｔａ…画像データー、ＯＡ…外部装置、ＰＣ…パーソナルコンピューター、ＶＩ…虚像、ＳＣ…外景、ＶＲ…視野、ＲＥ…右眼、ＬＥ…左眼、ＶＯ１…仮想オブジェクト、ＶＯ２…仮想オブジェクト、ＶＯ３…仮想オブジェクト、ＶＯ４…仮想オブジェクト、ＵＲ１…利用者、ＶＲ１…視野、ＶＩ１…虚像、ＵＲ２…利用者（第三者）、ＶＲ２…視野、ＶＩ２…虚像、ＢＳ１…通信キャリア、ＢＳ２…通信キャリア
【図１】
2017106945.tif 000003
【図２】
2017106945.tif 000004
【図３】
2017106945.tif 000005
【図４】
2017106945.tif 000006
【図５】
2017106945.tif 000007
【図６】
2017106945.tif 000008
【図７】
2017106945.tif 000009
【図８】
2017106945.tif 000010
【図９】
2017106945.tif 000011
【図１０】
2017106945.tif 000012
【図１１】
2017106945.tif 000013
【図１２】
2017106945.tif 000014
【図１３】
2017106945.tif 000015
【図１４】
2017106945.tif 000016
【図１５】
2017106945.tif 000017
【図１６】
2017106945.tif 000018
【図１７】
2017106945.tif 000019
【図１８】
2017106945.tif 000020
【図１９】
2017106945.tif 000021
【図２０】
2017106945.tif 000022
【図２１】
2017106945.tif 000023
【図２２】
2017106945.tif 000024